(57)【特許請求の範囲】
【請求項１】
各々が識別可能な複数種類の識別情報を変動表示可能な可変表示部を複数備え、
前記可変表示部の変動表示を停止することで表示結果を導出し、複数の可変表示部の表示結果の組合せに応じて入賞が発生可能なスロットマシンにおいて、
表示結果が導出される前に、導出が許容される表示結果の組合せを決定する事前決定手段と、
遊技者が表示結果を導出させるために操作する導出操作手段と、
前記事前決定手段の決定結果に応じて表示結果を導出する制御を行う導出制御手段と、
演出を実行する演出実行手段と、
を備え、
前記事前決定手段は、特定表示結果の組合せの導出を許容する第１の結果と、遊技者にとって有利な有利状態への移行を伴う移行表示結果の組合せの導出を許容する第２の結果と、を決定可能であり、
前記事前決定手段の決定結果が前記第２の結果となり、前記移行表示結果の組合せが導出されない場合に、前記第２の結果は次ゲーム以降に持ち越され、
前記導出制御手段は、
前記事前決定手段の決定結果が第１の結果であるときに、いずれかの可変表示部に特定識別情報を含む表示結果が導出される特定表示結果の組合せを導出可能に制御し、
前記事前決定手段の決定結果が第２の結果であり、移行表示結果の組合せを導出させることができない操作態様で前記導出操作手段が操作されたときに、特定表示結果の組合せとは異なる組合せであるがいずれかの可変表示部に特定識別情報を含む表示結果が導出される特別表示結果の組合せを導出可能に制御し、
前記特定表示結果の組合せは、全ての可変表示部に表示結果が導出されたときの組合せであって、前記有利状態とは異なる遊技者にとって有利な特典が付与される可能性がある旨が示唆され、かつ価値の付与を伴う表示結果の組合せであり、
前記特別表示結果の組合せは、全ての可変表示部に表示結果が導出されたときの組合せであって、価値の付与を伴わない表示結果の組合せであり、
前記演出実行手段は、前記事前決定手段の決定結果が第１の結果であるときにも第２の結果であるときにも、特定識別情報を含む表示結果の導出を促す特定報知演出を実行する、スロットマシン。
【発明の詳細な説明】
【技術分野】
【０００１】
本発明は、各々が識別可能な複数種類の識別情報を変動表示可能な可変表示部の表示結果に応じて所定の入賞が発生可能なスロットマシンに関する。
【背景技術】
【０００２】
この種のスロットマシンとして、押し順ナビにより報知された停止順にてリールの停止操作を行ったか否かによって出現率が影響を受けないリプレイが当選したときに押し順ナビを行うことによりボーナスの当選を示唆するものが提案されている（例えば、特許文献１参照）。
【先行技術文献】
【特許文献】
【０００３】
【特許文献１】特開２００４−３５０７９９号公報
【発明の概要】
【発明が解決しようとする課題】
【０００４】
特許文献１に記載のスロットマシンでは、押し順ナビにより報知された停止順でリールの停止操作を行ったか否かに関わらず、必ずリプレイが入賞する構成であって、押し順ナビとそれに従って停止順での停止した際に導出された表示結果との関連性が薄いものであり、十分に興趣を高められるものではなかった。
【０００５】
本発明は、このような問題点に着目してなされたものであり、演出による興趣を高めることができるスロットマシンを提供することを目的とする。
【課題を解決するための手段】
【０００６】
上記課題を解決するために、本発明の請求項１のスロットマシンは、
各々が識別可能な複数種類の識別情報を変動表示可能な可変表示部を複数備え、
前記可変表示部の変動表示を停止することで表示結果を導出し、複数の可変表示部の表示結果の組合せに応じて入賞が発生可能なスロットマシンにおいて、
表示結果が導出される前に、導出が許容される表示結果の組合せを決定する事前決定手段と、
遊技者が表示結果を導出させるために操作する導出操作手段と、
前記事前決定手段の決定結果に応じて表示結果を導出する制御を行う導出制御手段と、
演出を実行する演出実行手段と、
を備え、
前記事前決定手段は、特定表示結果の組合せの導出を許容する第１の結果と、遊技者にとって有利な有利状態への移行を伴う移行表示結果の組合せの導出を許容する第２の結果と、を決定可能であり、
前記事前決定手段の決定結果が前記第２の結果となり、前記移行表示結果の組合せが導出されない場合に、前記第２の結果は次ゲーム以降に持ち越され、
前記導出制御手段は、
前記事前決定手段の決定結果が第１の結果であるときに、いずれかの可変表示部に特定識別情報を含む表示結果が導出される特定表示結果の組合せを導出可能に制御し、
前記事前決定手段の決定結果が第２の結果であり、移行表示結果の組合せを導出させることができない操作態様で前記導出操作手段が操作されたときに、特定表示結果の組合せとは異なる組合せであるがいずれかの可変表示部に特定識別情報を含む表示結果が導出される特別表示結果の組合せを導出可能に制御し、
前記特定表示結果の組合せは、全ての可変表示部に表示結果が導出されたときの組合せであって、前記有利状態とは異なる遊技者にとって有利な特典が付与される可能性がある旨が示唆され、かつ価値の付与を伴う表示結果の組合せであり、
前記特別表示結果の組合せは、全ての可変表示部に表示結果が導出されたときの組合せであって、価値の付与を伴わない表示結果の組合せであり、
前記演出実行手段は、前記事前決定手段の決定結果が第１の結果であるときにも第２の結果であるときにも、特定識別情報を含む表示結果の導出を促す特定報知演出を実行する
ことを特徴としている。
本発明の手段１のスロットマシンは、
各々が識別可能な複数種類の識別情報を変動表示可能な可変表示部（リール２Ｌ、２Ｃ、２Ｒ）を複数備え、
前記可変表示部（リール２Ｌ、２Ｃ、２Ｒ）の変動表示を停止することで表示結果を導出し、複数の可変表示部の表示結果の組合せに応じて入賞が発生可能なスロットマシン（スロットマシン１）において、
表示結果が導出される前に、導出が許容される表示結果の組合せを決定する事前決定手段（内部抽選）と、
遊技者が表示結果を導出させるために操作する導出操作手段（ストップスイッチ８Ｌ、８Ｃ、８Ｒ）と、
前記事前決定手段（内部抽選）の決定結果に応じて表示結果を導出する制御を行う導出制御手段（メイン制御部４１）と、
演出を実行する演出実行手段（サブ制御部９１）と、
を備え、
前記事前決定手段（内部抽選）は、遊技者にとって有利な特典（再遊技）の付与を伴う特定表示結果の組合せの導出を許容する第１の結果（第１の抽選対象役である特別再遊技）と、遊技者にとって有利な有利状態（ボーナス）への移行を伴う移行表示結果（特別役（ＢＢ１））の組合せの導出を許容する第２の結果（第２の抽選対象役である特別役（ＢＢ１））と、を決定可能であり、
前記導出制御手段（メイン制御部４１）は、
前記事前決定手段の決定結果が第１の結果（第１の抽選対象役である特別再遊技）であるときに、いずれかの可変表示部（中リールの中段）に特定識別情報（特定図柄である「ＢＡＲ」）を含む表示結果が導出される特定表示結果（特別再遊技役）の組合せを導出可能に制御し、
前記事前決定手段の決定結果が第２の結果（第２の抽選対象役である特別役（ＢＢ１））であり、移行表示結果（特別役（ＢＢ１））の組合せを導出させることができないときに、特定表示結果（特別再遊技役）の組合せとは異なる組合せであるがいずれかの可変表示部（中リールの中段）に特定識別情報（特定図柄である「ＢＡＲ」）を含む表示結果が導出される特別表示結果（ＢＢ１のリーチ目）の組合せを導出可能に制御し、
前記演出実行手段（サブ制御部９１）は、前記事前決定手段の決定結果が第１の結果（第１の抽選対象役である特別再遊技）であるときにも第２の結果（第２の抽選対象役である特別役（ＢＢ１））であるときにも、特定識別情報（特定図柄である「ＢＡＲ」）を含む表示結果の導出を促す特定報知演出（報知演出）を実行する
ことを特徴としている。
この特徴によれば、事前決定手段の決定結果が第１の結果であるときに特定識別情報を含む表示結果の導出を促す特定報知演出が実行されるとともに、この際特定識別情報を導出させる操作態様にて導出操作手段を操作することにより、いずれかの可変表示部に特定識別情報を含む表示結果が導出される特定表示結果の組合せを導出させることができる。一方で、第２の結果であるときにも特定識別情報を含む表示結果の導出を促す特定報知演出が実行されるとともに、この際特定識別情報を導出させる操作態様にて導出操作手段を操作することにより、いずれかの可変表示部に特定識別情報を含む表示結果が導出される特別表示結果の組合せを導出させることができ、特別表示結果の組合せが導出されることで、さらに移行表示結果の組合せの導出が許容されていることを示唆することができる。このため、特定報知演出が実行されることで一次的には特典の付与を伴う特定表示結果の組合せの導出が許容されていることが示唆され、さらに特定識別情報を含む表示結果を導出させる操作を行った結果、特別表示結果の組合せが導出されることで、二次的に有利状態への移行を伴う移行表示結果の組合せの導出が許容されていることを示唆することができる。この際、単に特定報知演出により特定表示結果の組合せの導出が許容されていること、移行表示結果の組合せの導出が許容されていることが示唆されるだけでなく、特定表示結果の組合せと特別表示結果の組合せに共通する特定識別情報を含む表示結果の導出を促す演出、すなわち導出される表示結果と関連する演出が実行されるので、特定報知演出が実行される際の興趣を効果的に高めることができる。
【０００７】
尚、手段１において特定識別情報を含む表示結果の導出を促す特定報知演出とは、特定識別情報を直接的に示唆するものでも良いし、間接的に示唆するものでも良い。特定識別情報を直接的に示唆するものとは、特定識別情報または特定識別情報を想起させる画像等を表示させるものなどが該当する。また、特定識別情報を間接的に示唆するものとは、特定識別情報を導出させる操作態様（操作タイミング、操作順等）を示唆するものなどが該当する。
また、手段１において遊技者にとって有利な特典とは、遊技に使用可能な価値、再遊技、遊技者にとって有利な有利状態、有利状態へ移行させることが可能となる権利（有利状態を発生するか否かを決定する抽選に当選すること、有利状態へ移行する入賞が許容されることなど）、遊技者にとって有利な操作態様が報知される権利、遊技用価値が付与される期待値が高い遊技状態に制御される権利、現在の遊技状態が遊技者にとって有利な遊技状態か否かが報知される権利、有利状態に制御される期間（固定ゲーム数、終了条件によって変動するゲーム数の平均値等）など、遊技者にとって直接的な有利な特典であっても良いし、遊技者にとって直接的に有利ではないが、例えば、インターネット上で特典を得るための条件となる等、遊技者にとって間接的に有利な特典であっても良い。
【０００８】
本発明の手段２のスロットマシンは、手段１に記載のスロットマシンであって、
前記演出実行手段は、特定報知演出（報知演出）として特定識別情報（特定図柄である「ＢＡＲ」）を含む表示結果を導出させる操作態様（停止順及び停止タイミング）を示唆する演出を実行する
ことを特徴としている。
この特徴によれば、特定報知演出により特定識別情報を含む表示結果を導出させる操作態様での操作を促すことができる。
【０００９】
本発明の手段３のスロットマシンは、手段１または２に記載のスロットマシンであって、
有利状態は、有利度の異なる複数種類の有利状態（例えば、複数のボーナス状態）を含み、
特別表示結果（ＢＢ１のリーチ目）の組合せは、特定識別情報（特定図柄である「ＢＡＲ」）が導出される位置の異なる複数種類の組合せを含み、
特別表示結果（ＢＢ１のリーチ目）の組合せが導出されたときに、導出された特別表示結果の組合せの種類に応じて有利状態の種類が示唆される
ことを特徴としている。
この特徴によれば、特別表示結果の組合せが導出されたときに、特定識別情報が導出される位置に応じて有利状態の種類が示唆されるので、特定識別情報の位置に着目させることができる。
尚、特定識別情報が導出される位置とは、例えば、表示結果は複数の連続する識別情報からなる場合の特定識別情報が停止する位置、特定識別情報が導出される可変表示部などが該当する。
【００１０】
本発明の手段４のスロットマシンは、手段１〜３のいずれかに記載のスロットマシンであって、
特定表示結果（特別再遊技役）の組合せと特別表示結果（ＢＢ１のリーチ目）の組合せとは、複数の可変表示部（リール２Ｌ、２Ｃ、２Ｒ）を通る複数のラインのうち特定識別情報が導出されるラインが異なる組合せである
ことを特徴としている。
この特徴によれば、特定表示結果の組合せと特別表示結果の組合せとを特定識別情報が導出される点で共通させつつ、２つの組合せの違いを区別させることができる。
【００１１】
本発明の手段５のスロットマシンは、手段１〜４のいずれかに記載のスロットマシンであって、
特定表示結果（特別再遊技役）の組合せと特別表示結果（ＢＢ１のリーチ目）の組合せとは、特定識別情報（特定図柄である「ＢＡＲ」）を含む表示結果と、特定識別情報（特定図柄である「ＢＡＲ」）を含まない表示結果と、から構成され、特定識別情報を含まない表示結果（「ベル」「リプレイａ」「リプレイｂ」）が異なる組合せである
ことを特徴としている。
この特徴によれば、特定表示結果の組合せと特別表示結果の組合せとを特定識別情報が導出される点で共通させつつ、２つの組合せの違いを区別させることができる。
【００１２】
本発明の手段６のスロットマシンは、手段１〜５のいずれかに記載のスロットマシンであって、
表示結果は複数の連続する識別情報からなり、
特定表示結果（特別再遊技役）の組合せと特別表示結果（ＢＢ１のリーチ目）の組合せとは、特定識別情報（特定図柄である「ＢＡＲ」）を含む表示結果において特定識別情報が停止する位置（リールの上段、中段、下段）が異なる組合せである
ことを特徴としている。
この特徴によれば、特定表示結果の組合せと特別表示結果の組合せとを特定識別情報が導出される点で共通させつつ、２つの組合せの違いを区別させることができる。
【００１３】
本発明の手段７のスロットマシンは、手段１〜６のいずれかに記載のスロットマシンであって、
特定表示結果（特別再遊技役）の組合せが導出されることで、遊技者にとって有利な特典（ＡＴ、ＡＴゲーム数の上乗せ）が付与される可能性が示唆される
ことを特徴としている。
この特徴によれば、特定報知演出が実行されることで特定表示結果の組合せの導出が許容されていることだけでなく、遊技者にとって有利な特典が付与されていることに対する期待感を高めることができる。
尚、手段７において遊技者にとって有利な特典とは、手段１における遊技者にとって有利な特典と同一の特典であっても良いし、異なる特典であっても良い。また、手段７における遊技者にとって有利な特典として、移行表示結果の組合せを導出させる権利、すなわち有利状態へ移行させる権利）を適用しても良い。
【００１４】
本発明の手段８のスロットマシンは、手段７に記載のスロットマシンであって、
特定表示結果（特別再遊技役）の組合せが導出されたときに、特定識別情報（特定図柄である「ＢＡＲ」）を含む表示結果の数に応じて特典（ＡＴ、ＡＴゲーム数の上乗せ）が付与される可能性が異なる
ことを特徴としている。
この特徴によれば、特定識別情報を含む表示結果の数に応じて特典が付与される可能性の違いを示唆することができる。
【００１５】
本発明の手段９のスロットマシンは、手段７または８に記載のスロットマシンであって、
特定表示結果（特別再遊技役）の組合せが導出されたときに、特定識別情報（特定図柄である「ＢＡＲ」）を含む表示結果の数に応じて付与される特典の有利度（ＡＴが開始される際の残りＡＴゲーム数、上乗せされるＡＴゲーム数）が異なる
ことを特徴としている。
この特徴によれば、特定識別情報を含む表示結果の数に応じて付与される特典の有利度の違いを示唆することができる。
【００１６】
本発明の手段１０のスロットマシンは、手段８または９に記載のスロットマシンであって、
第１の結果（第１の抽選対象役）は、複数種類（例えば、押し順特別再遊技（右第１特別再遊技１〜３等））からなり、
第１の結果の種類に応じて導出可能な特定識別情報（特定図柄である「ＢＡＲ」）を含む表示結果の数が異なる
ことを特徴としている。
この特徴によれば、事前決定手段の決定結果の違いに応じて特定識別情報を含む表示結果の数を変化させることができる。
【００１７】
本発明の手段１１のスロットマシンは、手段８〜１０のいずれかに記載のスロットマシンであって、
前記事前決定手段の決定結果が第１の結果（例えば、第１の抽選対象役として特別再遊技Ａ〜Ｃ）となったときに、前記導出操作手段（ストップスイッチ８Ｌ、８Ｃ、８Ｒ）の操作態様（例えば、停止順）に応じて導出可能な特定識別情報（特定図柄である「ＢＡＲ」）を含む表示結果の数が異なる
ことを特徴としている。
この特徴によれば、導出操作手段の操作態様に応じて特定識別情報を含む表示結果の数を変化させることができる。
【００１８】
本発明の手段１２のスロットマシンは、手段１１に記載のスロットマシンであって、
前記演出実行手段（サブ制御部９１）は、特定報知演出（報知演出）として前記導出操作手段（ストップスイッチ８Ｌ、８Ｃ、８Ｒ）の操作態様（停止順及び停止タイミング）を報知する演出を実行する
ことを特徴としている。
この特徴によれば、特定報知演出により報知される操作態様を変化させることにより特定識別情報を含む表示結果の数を変化させることができる。
【００１９】
本発明の手段１３のスロットマシンは、手段１〜１２のいずれかに記載のスロットマシンであって、
前記演出実行手段（サブ制御部９１）は、遊技が開始した以後前記導出操作手段（ストップスイッチ８Ｌ、８Ｃ、８Ｒ）の操作が有効となる前に特定報知演出（報知演出）を開始する
ことを特徴としている。
この特徴によれば、特定報知演出により特定識別情報を含む表示結果の導出を確実に促すことができる。
【００２０】
本発明の手段１４のスロットマシンは、手段１〜１３のいずれかに記載のスロットマシンであって、
前記演出実行手段（サブ制御部９１）は、特定表示結果（特別再遊技役）の組合せが導出されたときにも特別表示結果（ＢＢ１のリーチ目）の組合せが導出されたときにも共通の演出（点灯態様Ａを用いてリールＬＥＤ５５による演出及び報知音Ａを用いてスピーカ５３、５４による演出）を実行する
ことを特徴としている。
この特徴によれば、特定報知演出と特定識別情報を含む表示結果が導出されることとの関連性を強調することができる。
【００２１】
尚、本発明は、本発明の請求項に記載された発明特定事項のみを有するものであって良いし、本発明の請求項に記載された発明特定事項とともに該発明特定事項以外の構成を有するものであっても良い。
【図面の簡単な説明】
【００２２】
【図１】本発明が適用された実施例のスロットマシンの正面図である。
【図２】スロットマシンの内部構造を示す斜視図である。
【図３】リールの図柄配列を示す図である。
【図４】スロットマシンの構成を示すブロック図である。
【図５】メイン制御部がナビ報知により報知するナビ番号について説明するための図である。
【図６】特別役、特別再遊技役の当選時にメイン制御部４１が行うリール制御について説明するための図である。
【図７】特別再遊技の当選したゲームにおけるリール制御の流れ及び報知演出について説明するための図である。
【図８】特別役のみが当選しているゲームにおけるリール制御の流れ及び報知演出について説明するための図である。
【図９】通常再遊技の当選したゲームにおけるリール制御の流れ及び偽演出について説明するための図である。
【図１０】サブ制御部９１が行う報知演出の変形例について説明するための図である。
【図１１】特別再遊技役の図柄組合せの変形例について説明するための図である。
【図１２】特別再遊技役の図柄組合せ及びリーチ目の図柄組合せの変形例について説明するための図である。
【図１３】特別再遊技役の図柄組合せ及びリーチ目の図柄組合せの変形例について説明するための図である。
【図１４】変形例１において、押し順特別再遊技の当選時にメイン制御部４１が行うリール制御について説明するための図である。
【図１５】押し順特別再遊技に含まれる各種役について説明するための図である。
【図１６】押し順特別再遊技の当選時にサブ制御部９１が行う報知演出について説明するための図である。
【図１７】押し順特別再遊技の当選したゲームにおけるリール制御の流れ及び報知演出について説明するための図である。
【図１８】変形例２において、特別再遊技Ａ〜Ｃの当選時にメイン制御部４１が行うリール制御について説明するための図である。
【発明を実施するための形態】
【００２３】
本発明に係るスロットマシンを実施するための形態を実施例に基づいて以下に説明する。
【実施例】
【００２４】
本発明が適用されたスロットマシンの実施例について図面を用いて説明すると、本実施例のスロットマシン１は、図１に示すように、前面が開口する筐体１ａと、この筐体１ａの側端に回動自在に枢支された前面扉１ｂと、から構成されている。図１に示すように、前面扉１ｂの中央上部には、筐体１ａの内部に配置された３つのリール２Ｌ、２Ｃ、２Ｒ（以下、左リール、中リール、右リールとも称する）の所定部分を視認可能な透視窓３が設けられている。図３に示すように、各リール２Ｌ、２Ｃ、２Ｒの外周には各々が識別可能な複数種類の図柄が所定の順序で、それぞれ２１個ずつ描かれている。尚、本実施例のスロットマシン１は、可変表示部として３つのリール２Ｌ、２Ｃ、２Ｒを備える構成であるが、リールの個数は、３つに限らず、１つであっても良いし、２以上であっても良い。また、本実施例では、可変表示部として物理的なリール２Ｌ、２Ｃ、２Ｒを適用する構成であるが、液晶表示器などの画像表示装置により可変表示部を構成しても良い。
【００２５】
また、前面扉１ｂにおける透視窓３の前面側（遊技者側）から透視窓３の上部にわたる領域には、所定の演出を実行可能な表示領域５１ａを有する液晶表示器５１が設けられている。表示領域５１ａのうち透視窓３に対応する領域は、液晶素子に対して電圧が印加されていない状態で透過性を有する透過領域５１ｂとなっており、透過領域５１ｂ及び透視窓３を介して前面側（遊技者側）から背面側（リール側）を視認できるようになっている。
【００２６】
また、前面扉１ｂには、メダルを投入可能なメダル投入部４、メダルが払い出されるメダル払出口９が設けられるとともに、遊技者が操作可能な操作手段として、遊技者所有の遊技用価値（メダル数）として記憶されているクレジットの範囲内において遊技状態に応じて定められた規定数の賭数を設定する際に操作されるＭＡＸＢＥＴスイッチ６、クレジット及び賭数の設定に用いた分のメダルを精算して返却させる際に操作される精算スイッチ１０、ゲームを開始する際に操作されるスタートスイッチ７、リール２Ｌ、２Ｃ、２Ｒの回転を各々停止する際に操作されるストップスイッチ８Ｌ、８Ｃ、８Ｒ、演出に用いられる演出用スイッチ５６などが設けられている。
【００２７】
また、前面扉１ｂには、クレジットとして記憶されているメダル枚数が表示されるクレジット表示器１１、入賞の発生により払い出されたメダル枚数やエラー発生時にその内容を示すエラーコード、後述のナビ報知によるリールの停止順を識別可能な情報等が表示される遊技補助表示器１２、設定されている賭数を点灯により報知する１〜３ＢＥＴＬＥＤ１４〜１６、メダルの投入が可能な状態を点灯により報知する投入要求ＬＥＤ１７、ゲームのスタート操作が有効である旨を点灯により報知するスタート有効ＬＥＤ１８、ウェイト（前回のゲーム開始から一定期間経過していないためにリールの回転開始を待機している状態）中である旨を点灯により報知するウェイト中ＬＥＤ１９、リプレイゲーム中である旨を点灯により報知するリプレイ中ＬＥＤ２０が設けられた遊技用表示部１３が設けられている。遊技補助表示器１２は、複数のセグメント（例えば、８つのセグメント）を有し、各セグメントを点灯または消灯に制御することで、数字（０〜９）、アルファベット（Ｓ、Ｂ）、符号（．）等を認識可能に表示することができる２つの表示器で構成されている。尚、本実施例では、遊技補助表示器１２を複数のセグメントを有する表示器で構成するが、複数のセグメントを有する表示器以外の表示器、例えば、液晶表示器等を遊技補助表示器１２として用いる構成であっても良い。また、複数の数字、アルファベット等を認識可能に表示することができる一の表示器を用いる構成であっても良い。
【００２８】
図２は、スロットマシン１の内部構造を示す図であり、図４は、スロットマシン１の構成を示すブロック図である。スロットマシン１の内部には、遊技の進行を制御するとともに、遊技の進行に応じて各種コマンドを出力するメイン制御部４１等を備え、上述のスタートスイッチ７のスイッチ類など遊技の進行に用いる機器が接続されている遊技制御基板４０、コマンドに応じて演出を制御するサブ制御部９１及び上述の液晶表示器５１等の演出装置等が接続されている演出制御基板９０、サブ制御部９１により直接的または間接的に制御される各種演出装置（例えば、液晶表示器５１、演出用スイッチ５６等）等が設けられている。
【００２９】
メイン制御部４１は、スロットマシン１においてゲームが行われる場合には、まず、メダルがメダル投入部４から投入されるかＭＡＸＢＥＴスイッチ６操作が操作されることにより、規定数の賭数（例えば３）を設定する。そして、入賞ラインＬＮを有効にするとともに、スタートスイッチ７の操作の受け付けを有効にして、ゲームが開始可能な状態とする。尚、規定数の賭数が設定されている状態でメダルが投入された場合には、クレジットに加算し、クレジットが上限値（本実施例では、５０）に達している状態でメダルが投入された場合には、メダル払出口９から返却する。
【００３０】
入賞ラインとは、リール２Ｌ、２Ｃ、２Ｒの透視窓３に表示された図柄の組合せが入賞図柄の組合せであるかを判定するためのラインである。尚、本実施例では、入賞ラインとして１つの入賞ラインＬＮを有する構成であるが、２つ以上の入賞ラインを設ける構成であっても良い。
【００３１】
メイン制御部４１は、ゲームが開始可能な状態でスタートスイッチ７が操作されると、リール２Ｌ、２Ｃ、２Ｒを回転させて図柄を変動表示させる。この状態で、ストップスイッチ８Ｌ、８Ｃ、８Ｒが操作されると該当するリールの回転を停止させることで、透視窓３の上中下段に３つの図柄を表示結果として導出させる。表示結果として入賞ライン上に予め定められた入賞役（例えば、ベル）を構成する図柄の組合せ（例えば、「ベル‐ベル‐ベル」）が停止することで入賞が発生する。そして、入賞が発生したときには、入賞に応じて、入賞役毎に予め定められた所定枚数のメダルを遊技者に対して付与して、付与するメダル数分をクレジットに加算する。クレジットが上限数（本実施例では、５０）に達した場合には、クレジットに加算されなかった分のメダルをメダル払出口９から払出す。
【００３２】
本実施例のスロットマシン１における“ゲーム”とは、狭義には、スタートスイッチ７が操作されてからリール２Ｌ、２Ｃ、２Ｒが停止するまでをいうが、ゲームを行う際にスタートスイッチ７の操作前の賭数設定や、リール２Ｌ、２Ｃ、２Ｒの停止後にメダルの払い出しや遊技状態の移行も行われるので、これらの付随的な処理も広義には“ゲーム”に含まれる。
【００３３】
本実施例では、遊技者がストップスイッチ８Ｌ、８Ｃ、８Ｒを操作する操作順（押し順ともいう）として、左リール２Ｌを第１停止させた後に、中リール２Ｃを第２停止させる押し順を順押しといい、左リール２Ｌを第１停止させた後に、右リール２Ｒを第２停止させる押し順を順挟み押しといい、中リール２Ｃを第１停止させた後に、左リール２Ｌを第２停止させる押し順を中左押しといい、中リール２Ｃを第１停止させた後に、右リール２Ｒを第２停止させる押し順を中右押しといい、右リール２Ｒを第１停止させた後に、左リール２Ｌを第２停止させる押し順を逆挟み押しといい、右リール２Ｒを第１停止させた後に、中リール２Ｃを第２停止させる押し順を逆押しという。
【００３４】
また、本実施例では、停止図柄として選択可能なのは、ストップスイッチ８Ｌ、８Ｃ、８Ｒが操作されたときに表示されている図柄と、そこから４コマ先までにある４コマの図柄とを含む合計５コマ分の図柄である。このため、例えば、ストップスイッチ８Ｌ、８Ｃ、８Ｒのいずれかが操作されたときに当該ストップスイッチに対応するリールの下段に表示されている図柄を基準とした場合、当該図柄から４コマ先までの図柄を下段に表示させることができるため、リール２Ｌ、２Ｃ、２Ｒ各々において、ストップスイッチ８Ｌ、８Ｒのうちいずれかが操作されたときに当該ストップスイッチに対応する入賞ライン上すなわちリールの中段に表示されている図柄を含めて５図柄以内すなわち４コマ以内の間隔で配置されている図柄を入賞ライン上に引き込んで停止させることができる。
【００３５】
本実施例では、メイン制御部４１は、リールの回転が開始したとき、及びリールが停止し、かつ未だ回転中のリールが残っているときに、内部抽選の当選状況及びメイン制御部４１のＲＯＭに格納されているテーブルインデックス、テーブル作成用データを参照して、回転中のリール別に停止制御テーブルを作成する。そして、回転中のリールに対応するストップスイッチの操作が有効に検出されたときに、該当するリールの停止制御テーブルに基づいて滑りコマ数を取得し、ストップスイッチの操作されたリールの回転を、ストップスイッチの操作されたときの図柄から滑りコマ数分の図柄だけ引き込んで停止させるようにリールの停止制御を行う。停止制御テーブルでは、滑りコマ数として０〜４の値が定められており、ストップスイッチの操作が検出されてから最大４図柄を引き込んでリールを停止させることが可能である。すなわちストップスイッチの操作を検出したときに入賞ライン上に位置する図柄と、その４つ先の図柄までの範囲内に配置されている最大５図柄のうちの一の図柄を入賞ライン上に停止させることができる。
【００３６】
本実施例では、図３に示すように、例えば、左リールにおいて「ベル」の図柄は、５図柄以内すなわち４コマ以内の間隔で配置されており、いずれのタイミングでストップスイッチ８Ｌを操作しても引き込むことが可能となっている。また、中右リールの「ベル」及び「リプレイａ」の図柄についても同様に、５図柄以内に配置されており、いずれのタイミングでストップスイッチを操作しても引き込むことが可能となっている。一方、例えば、左リールの「赤７」の図柄は、５図柄以内に配置されておらず、適正なタイミングでストップスイッチ８Ｌが操作されなければ、引き込むことができないようになっている。また、左リールの「青７」「白７」「ＢＡＲ」「チェリーａ」「チェリーｂ」「スイカ」「リプレイａ」「リプレイｂ」「プラム」の図柄、中右リールの「赤７」「青７」「白７」「ＢＡＲ」「チェリーａ」「チェリーｂ」「スイカ」「プラム」の図柄についても同様に、５図柄以内で配置されておらず、適正なタイミングでストップスイッチ８Ｌが操作されなければ、引き込むことができないようになっている。
【００３７】
本実施例のメイン制御部４１は、ゲームの開始時に、遊技状態に応じて予め定められた確率で予め定められた各役への入賞を許容するか否かを決定する内部抽選を行い、内部抽選の結果を特定可能な当選フラグをＲＡＭ４１ｃの所定領域に設定し、その後、リールに対応するストップスイッチが操作された際には、ＲＡＭ４１ｃに設定されている当選フラグに基づいて該当するリールを停止させる停止制御を行う。
【００３８】
内部抽選にて抽選対象となる抽選対象役の種類は、遊技状態に応じて定められており、一の種類の抽選対象役には、１以上の入賞役が含まれる。入賞役は複数種類が設定されており、複数種類の入賞役として、大きく分けて、メダルの払い出しを伴う小役と、リプレイゲーム（再遊技）が付与されることで、賭数の設定を必要とせずに次のゲームを開始可能となる再遊技役と、遊技者にとって有利な遊技状態への移行を伴う特別役とが定められている。以下では、小役と再遊技役をまとめて一般役とも呼ぶ。各役の入賞が発生するためには、内部抽選に当選して、当該役の当選フラグがＲＡＭ４１ｃに設定されている必要がある。尚、これら各役の当選フラグのうち、小役及び再遊技役の当選フラグは、当該フラグが設定されたゲームにおいてのみ有効とされ、当該ゲームの終了とともに消去されて、次のゲームでは無効となるが、特別役の当選フラグは、当該フラグにより許容された役の組合せが揃うまでは、当該ゲームの終了において消去されず、次ゲーム以降も有効とされ、当該特別役の組合せが揃ったゲームにおいて無効となる。すなわち特別役の当選フラグが一度当選すると、例え、当該フラグにより許容された役の組合せを揃えることができなかった場合にも、その当選フラグは無効とされずに、次のゲームへ持ち越されることとなる。また、内部抽選の抽選対象役には、予め定められた所定の停止順で停止操作が行われる場合にのみ当該役を構成する図柄を入賞ラインＬＮに揃えて停止させ、入賞を発生させることが可能な小役、再遊技役（以下押し順役と呼ぶ場合がある）と、停止順によらず役を構成する図柄を入賞ラインＬＮに揃えて停止させ、入賞を発生させることが可能な小役、再遊技役（非押し順役と呼ぶ場合がある）とを含む。
【００３９】
メイン制御部４１は、リールの停止制御において、ストップスイッチが操作されたリールについて、ＲＡＭ４１ｃに設定されている当選フラグに基づいて、内部抽選にていずれかの役が当選している場合には、当該当選している役の構成図柄を優先して上述の最大５図柄の範囲で引き込んで停止させるようにリールの回転を停止させ、内部抽選にていずれの役も当選していない場合には、いずれの役の構成図柄も入賞ラインＬＮに停止することがないように、各役の構成図柄以外の図柄を引き込んで停止させるようにリールの回転を停止させる制御を行う。これにより、内部抽選にていずれかの役に当選しており、かつ当該当選している役の構成図柄を入賞ラインＬＮに停止させることが可能なタイミングで、ストップスイッチ８Ｌ、８Ｃ、８Ｒが操作されることで、当該役の構成図柄が入賞ラインＬＮに揃って停止し、当該役の入賞が発生するようになっている。
【００４０】
また、当選フラグとして特別役と一般役の当選が同時に設定されている場合には、メイン制御部４１は、リールの停止制御において、当選している一般役の構成図柄を優先して上述の最大５図柄の範囲で引き込んで停止させるようになっており、特別役が当選しており、かついずれの一般役も当選してないゲームにおいてのみ、特別役の入賞が発生するようになっている。また、内部抽選にて当選した役のうち、再遊技役＞小役＞特別役の優先順位で入賞するようにリール制御が行われるようになっており、特に、一般役として再遊技役の当選時には停止順や停止タイミングに関わらず必ず再遊技役を入賞させるようにリールを停止制御し、特別役と再遊技役が同時に当選した場合には必ず再遊技役が入賞することとなる。
【００４１】
本実施例のメイン制御部４１は、内部抽選結果に応じて遊技者にとって有利となる操作態様を報知するナビ報知を実行可能な報知期間となるアシストタイム（以下、ＡＴという）に制御可能となっている。
【００４２】
図５（ａ）に示すように、本実施例では、リールを停止させる操作の態様毎に所定の番号がナビ番号として予め割り当てられている。メイン制御部４１は、ナビ報知を行わない場合、すなわちＡＴに制御していない場合及びＡＴに制御しているが内部抽選にて所定のナビ対象役が当選していない場合には、ナビ番号として、遊技者にとって不利にも有利にもならない標準の停止順を示すナビ番号（本実施例では、「０」）をＲＡＭ４１ｃの所定領域に設定し、当該ナビ番号を遊技補助表示器１２に表示させない一方で、ナビ報知を行う場合、すなわちＡＴに制御しており、かつ内部抽選にて所定のナビ対象役が当選した場合には、当選したナビ対象役に応じて遊技者にとって有利となるストップスイッチ８Ｌ、８Ｃ、８Ｒの操作態様に対応するナビ番号をＲＡＭ４１ｃの所定領域に設定し、当該ナビ番号を識別可能に遊技補助表示器１２に表示させる。ナビ報知として、ナビ番号を遊技補助表示器１２に表示させることで、内部抽選結果に応じて遊技者にとって有利となる操作態様を報知する。ナビ番号を遊技補助表示器１２に表示させる際には、遊技補助表示器１２を構成する各表示器の各セグメントを、該当するナビ番号を認識可能な点灯態様（例えば、図５（ｂ）に示すようにナビ番号「１」を識別可能に遊技補助表示器１２Ｌに「１」を表示するとともに、遊技補助表示器１２Ｒを非表示にとする点灯態様）により点灯させるようになっている。
【００４３】
また、メイン制御部４１は、ゲームの開始時に、ＲＡＭ４１ｃの所定領域に設定されているナビ番号を特定可能な押し順コマンドをサブ制御部９１に対して送信する。この際、メイン制御部４１側においてナビ報知を行っていない場合には、標準的な押し順を特定可能なナビ番号（本実施例では、「０」）を特定可能な押し順コマンドが送信される一方で、ナビ報知を行っている場合には、内部抽選結果に応じて遊技者にとって有利となる操作態様を特定可能なナビ番号（本実施例では、「１」〜「９」）を設定して、当該ナビ番号を特定可能な押し順コマンドをサブ制御部９１に対して送信するようになっており、サブ制御部９１は、メイン制御部４１側においてＡＴの制御が行われているときにのみナビ番号に基づいて内部抽選結果に応じて遊技者にとって有利となる操作態様を特定することができるようになっている。
【００４４】
本実施例では、上述の内部抽選にて抽選対象となる抽選対象役として、ＢＢ１、特別再遊技、特別再遊技＋ＡＴ、通常再遊技とを少なくとも含み、特に図示等しないが、他の役も抽選対象役として含む。また、各抽選対象役は、少なくとも１以上の入賞役を含み、内部抽選にて当該抽選対象役が当選することで、当選した抽選対象役に含まれる入賞役の入賞が許容されることとなる。
【００４５】
ＢＢ１は、特別役であり、抽選対象役でるとともに入賞役でもある。ＢＢ１は、「赤７‐赤７‐赤７」の図柄組合せが入賞ラインＬＮに停止したときに入賞となる。ＢＢ１を構成する各リールの図柄（「赤７」）は、各リールにおいて４コマ以内の間隔となるように配置されていないため（図３参照）、適切なタイミングでストップスイッチによる停止操作を行わないと、「赤７」を入賞ラインＬＮ上に停止させることができないが、適切なタイミングでストップスイッチによる停止操作を行うことで、当選したＢＢ１の図柄組合せを入賞ラインＬＮに停止させて、当該ＢＢ１を入賞させることができる。ＢＢ１が入賞すると、遊技者にとって有利な遊技状態としてボーナス状態に移行する。そして、ＢＢ１の入賞を契機に移行したボーナス状態は、メダルが３１６枚以上払い出されたことを条件として終了する。当該ボーナス状態では、内部抽選にて特別役及び再遊技役が抽選対象外とされることで、小役の当選確率が、ボーナス状態に制御されていない状態よりも高い高確率（約１／１．０）であり、１ゲームあたりのメダルの払出率は１００％を超える。
【００４６】
特別再遊技は、入賞役として再遊技役である特別再遊技役と、同じく再遊技役である通常再遊技役とを少なくとも含む。特別再遊技役は、「ベル‐ＢＡＲ‐リプレイａ」の図柄組合せが入賞ラインＬＮに停止したときに入賞となる。特別再遊技役を構成する左リールの図柄（「ベル」）及び右リールの図柄（「リプレイａ」）は、各リールにおいて５図柄以内に配置されている一方で、中リールの図柄（「ＢＡＲ」）は、５図柄以内に配置されていない箇所があるため（図３参照）、中リールについて適切なタイミング（「ＢＡＲ」を入賞ラインＬＮ上に引き込むことが可能なタイミング）で停止操作を行うことで、特別再遊技役を構成する図柄の組合せを入賞ラインＬＮ上に停止させることができる。また、通常再遊技役は、「リプレイａ‐リプレイａ‐リプレイａ」または「リプレイｂ‐リプレイａ‐リプレイａ」の図柄組合せが入賞ラインＬＮに停止したときに入賞となる。通常再遊技役を構成する左リールの図柄（「リプレイａ」「リプレイｂ」）及び中右リールの図柄（「リプレイａ」）は、各リールにおいて５図柄以内に配置されているので（図３参照）、停止操作のタイミングによらず、通常再遊技役を構成する図柄の組合せを入賞ラインＬＮ上に停止させることができる。特別再遊技が当選した場合には、停止順に応じて特別再遊技役または通常再遊技役の図柄組合せを入賞ラインＬＮ上に停止させるようにリールの制御が行われるようになっており、必ず特別再遊技役、通常再遊技役のいずれか入賞することとなり、特別再遊技役、通常再遊技役が入賞すると、リプレイゲームが付与される。すなわち特別再遊技が当選した場合には、停止操作態様に関わらず、必ず、再遊技役が入賞してリプレイゲームが付与される。
【００４７】
特別再遊技＋ＡＴは、上述の特別再遊技と同様に、入賞役として特別再遊技役と通常再遊技役とを少なくとも含む。また、内部抽選にて特別再遊技＋ＡＴが当選することで、ＡＴに関する抽選に当選したこととなる。具体的には、上述のＡＴの制御が行われていない状態で、内部抽選にて当該特別再遊技＋ＡＴが当選することで、ＡＴに当選したこととなり、上述のＡＴの制御が開始される一方、ＡＴの制御が行われている状態で、内部抽選にて当該特別再遊技＋ＡＴが当選することで、ＡＴに制御されるゲーム数の上乗せに当選したこととなり、規定のゲーム数がＡＴに制御されるゲーム数に加算される。尚、本実施例では、内部抽選にて特別再遊技＋ＡＴが当選することで、ＡＴに関する抽選に当選したこととなり、ＡＴ、上乗せゲーム数が付与される構成であるが、特別再遊技＋ＡＴが当選することで、ＡＴに関するＡＴ抽選が行われ、当該ＡＴ抽選にて当選することで、ＡＴ、上乗せゲーム数が付与される構成すなわち２段階の抽選でＡＴ、上乗せゲーム数が付与されるか否かが決定される構成であっても良く、３段階以上の抽選でＡＴ、上乗せゲーム数が付与されるか否かが決定される構成であっても良い。
【００４８】
通常再遊技は、入賞役として通常再遊技役を少なくとも含む。通常再遊技の当選時には、停止操作態様に関わらず、通常再遊技役の図柄組合せ（「リプレイａ‐リプレイａ‐リプレイａ」または「リプレイｂ‐リプレイａ‐リプレイａ」）が入賞ラインＬＮ上に停止して、必ず、通常再遊技役が入賞してリプレイゲームが付与される。
【００４９】
次に、内部抽選にてＢＢ１、特別再遊技役、特別再遊技役＋ＡＴが当選したときにメイン制御部４１が行うリール制御について、図６に基づいて説明する。
【００５０】
本実施例のメイン制御部４１は、内部抽選にてＢＢ１のみが当選している場合（内部抽選にてＢＢ１のみが当選した場合、及び、特別役の当選フラグが持ち越されている状態で、内部抽選にていずれの一般役も当選しなかった場合）、または、内部抽選にて特別再遊技役、特別再遊技役＋ＡＴが当選した場合には、リールの停止順及び停止タイミングに応じたリールの停止制御を行う。特に、リールの停止順が、中リールを第１停止とする停止順（中第１停止）である場合と、中リールを第１停止とする停止順以外の停止順である場合とで、異なるリールの停止制御を行うようになっている。
【００５１】
図６に示すように、内部抽選にてＢＢ１のみが当選している場合において、ストップスイッチ８Ｌ、８Ｃ、８Ｒによるリールの停止操作が中第１停止にて行われた場合であって、各リールについて、ストップスイッチが操作された停止タイミングが、ＢＢ１の図柄組合せ（「赤７‐赤７‐赤７」）を構成する構成図柄（「赤７」）を入賞ライン上に引き込むことが可能な停止タイミングである場合には、当該ＢＢ１の構成図柄を入賞ライン上に引き込んで停止させ、当該ＢＢ１の構成図柄を入賞ライン上に引き込むことができない停止タミングである場合であるが、特別役（ＢＢ１）が当選していることを条件に停止されるリーチ目の図柄組合せ（「リプレイａ‐ＢＡＲ‐ベル」、「リプレイｂ‐ＢＡＲ‐ベル」）を構成する構成図柄（左リールは、「リプレイａ」、「リプレイｂ」、中リールは、「ＢＡＲ」、右リールは、「ベル」）を入賞ラインＬＮ上に引き込むことが可能な停止タイミングである場合には、当該特別役のリーチ目の構成図柄を入賞ラインＬＮ上に引き込んで停止させ、当該ＢＢ１の構成図柄も当該リーチ目の構成図柄も入賞ライン上に引き込むことができない停止タイミングである場合には、いずれの入賞役の図柄組合せも停止させずに各リールを停止させるようにリールの停止制御を行う。
【００５２】
また、内部抽選にてＢＢ１のみが当選している場合において、ストップスイッチ８Ｌ、８Ｃ、８Ｒによるリールの停止操作が中第１停止以外の停止順にて行われた場合であって、各リールについて、ストップスイッチが操作された停止タイミングが、ＢＢ１の図柄組合せ（「赤７‐赤７‐赤７」）を構成する構成図柄（「赤７」）を入賞ライン上に引き込むことが可能な停止タイミングである場合には、当該ＢＢ１の構成図柄を入賞ライン上に引き込んで停止させ、当該ＢＢ１の構成図柄を入賞ライン上に引き込むことができない停止タミングである場合には、いずれの入賞役の図柄組合せも停止させずに各リールを停止させるようにリールの停止制御を行う。
【００５３】
尚、中第１停止にて停止操作が行われた場合であって、「ＢＡＲ」を入賞ラインＬＮに停止させることができないタイミングで停止操作が行われた場合には、「ＢＡＲ」が入賞ラインＬＮ及び無効ラインＬＭ１〜４のいずれのライン上にも停止することがないようにリールを停止させる。
【００５４】
これにより、ＢＢ１のみが当選している状態で、中第１停止かつ中リールについて「ＢＡＲ」を入賞ラインＬＮ上に停止させることができるタイミングで、停止操作を行うことにより、ＢＢ１のリーチ目の図柄組合せを入賞ラインＬＮ上に停止させること、すなわち、中リールの入賞ラインＬＮ上に「ＢＡＲ」の図柄を停止させることが可能である。また、中第１停止かつ中リールについて「ＢＡＲ」を入賞ラインＬＮ上に停止させることができないタイミングで停止操作を行うこと、及び中第１停止以外の停止順で停止操作を行うことにより、ＢＢ１の構成図柄（「赤７」）またはいずれの入賞役も構成することがない図柄組合せの構成図柄が入賞ラインＬＮ上に停止することとなり、ＢＢ１のリーチ目の図柄組合せを入賞ラインＬＮ上に停止させること、すなわち中リールの入賞ラインＬＮ上に「ＢＡＲ」の図柄を停止させることができないようになっている。
【００５５】
尚、当然に、ＢＢ１のみが当選している状態で、各リールについて「赤７」を入賞ラインＬＮに停止させることが可能なタイミングで停止操作を行うことで、リールの停止順によらず、ＢＢ１を入賞させることが可能である。また、当然に、ＢＢ１が当選していても、中第１停止かつ中リールについて「赤７」、「ＢＡＲ」を入賞ラインＬＮ上に停止させることができないタイミングで、停止操作が行うことで、ＢＢ１の図柄組合せ及びリーチ目の図柄組合せが入賞ラインＬＮ上に停止されることはない。また、当然に、ＢＢ１が当選していない場合に、ＢＢ１のリーチ目の図柄組合せが入賞ライン上に停止することはない。
【００５６】
また、図６に示すように、内部抽選にて特別再遊技、特別再遊技＋ＡＴが当選した場合において、中第１停止にて停止操作が行われた場合には、各リールについて、ストップスイッチが操作された停止タイミングが、特別再遊技に含まれる入賞役のうち特別再遊技役の図柄組合せ（「ベル‐ＢＡＲ‐リプレイａ」）を構成する構成図柄（左リールは、「ベル」、中リールは、「ＢＡＲ」、右リールは、「リプレイａ」）を入賞ライン上に引き込むことが可能な停止タイミングである場合には、特別再遊技に含まれる入賞役のうち通常再遊技役の図柄組合せ（「リプレイａ‐リプレイａ‐リプレイａ」、「リプレイｂ‐リプレイａ‐リプレイａ」）を構成する構成図柄（左リールは、「リプレイａ」、「リプレイｂ」、中右リールは、「リプレイａ」）を入賞ラインＬＮ上に引き込んで停止させるようにリールの停止制御を行う。
【００５７】
これにより、内部抽選にて特別再遊技、特別再遊技＋ＡＴが当選しているときに、中第１停止かつ中リールについて「ＢＡＲ」を入賞ラインＬＮ上に停止させることができるタイミングで、停止操作を行うことにより、特別再遊技に含まれる入賞役である特別再遊技役の図柄組合せを入賞ラインＬＮ上に停止させること、すなわち、ＢＢ１のリーチ目が入賞ラインＬＮ上に停止する場合と同様に、中リールの入賞ラインＬＮ上に「ＢＡＲ」の図柄を停止させることが可能である。また、中第１停止かつ中リールについて「ＢＡＲ」を入賞ラインＬＮ上に停止させることができないタイミングで停止操作を行うこと、及び中第１停止以外の停止順で停止操作を行うことにより、特別再遊技に含まれる入賞役である通常再遊技役の図柄組合せが入賞ラインＬＮ上に停止することとなり、特別再遊技役の図柄組合せを停止させることができず、中リールの入賞ラインＬＮ上に「ＢＡＲ」の図柄を停止させることができないようになっている。
【００５８】
本実施例のメイン制御部４１は、ゲームの進行に応じて各種コマンドをサブ制御部９１に対して送信することが可能であり、各種コマンドとして、特に、内部当選コマンド（第１の内部当選コマンド、第２の内部当選コマンド）、加速完了コマンド、停止操作時コマンド、遊技終了コマンド、入賞判定コマンドをサブ制御部９１に対して送信することが可能である。
【００５９】
内部当選コマンドは、内部抽選を行ったときに内部抽選の結果（特別役が当選しているか否か、及び一般役が当選しているか否か）を特定可能なコマンドであり、特別役が当選しているか否かを特定可能な第１の内部当選コマンドと、一般役が当選しているか否かを特定可能な第２の内部当選コマンドとを含む。第１の内部当選コマンド及び第２の内部当選コマンドが１組の内部当選コマンドとして送信され、第１の内部当選コマンドが送信された後に、第２の内部当選コマンドが送信される。以下、第１の内部当選コマンドと第２の内部当選コマンドをまとめて内部当選コマンドと呼ぶ場合がある。
【００６０】
加速完了コマンドは、ゲームの開始に伴うリールの加速が完了した旨を特定可能なコマンドであり、ゲームが開始された際にリール２Ｌ、２Ｃ、２Ｒの回転が開始された後、最初に全てのリール２Ｌ、２Ｃ、２Ｒが所定の定速回転となり、ストップスイッチ８Ｌ、８Ｃ、８Ｒによる停止操作の受け付けが有効化された後に送信される。
【００６１】
停止操作時コマンドは、停止するリールが左リール、中リール、右リールのいずれのリールであるか、該当するリールの停止操作位置を特定可能なコマンドであり、各リールの停止操作に伴う停止制御が行われる毎に送信される。
【００６２】
遊技終了コマンドは、一のゲームが終了された旨を特定可能なコマンドであり、遊技者により第３停止リールを停止させるためにストップスイッチが押下されて、そのストップスイッチが離されたときに送信される。
【００６３】
入賞判定コマンドは、入賞の有無、入賞ラインＬＮに揃った図柄の組合せ、並びに入賞の種類、入賞時のメダルの払出枚数を特定可能なコマンドであり、遊技者が第３停止リールを停止させるためにストップスイッチを押下して、そのストップスイッチを離したときであり、遊技終了コマンドの送信後に送信される。
【００６４】
本実施例のサブ制御部９１は、メイン制御部４１により送信される各種コマンドに基づいて、各種演出装置を用いてゲームの進行に応じた演出を行うことが可能であり、演出として、特に、第１の演出実行条件が成立する場合に、液晶表示器５１を用いて特定図柄（本実施例では、「ＢＡＲ」の図柄）をリールに停止させることを促す報知演出を行うことが可能であり、第２の演出実行条件が成立する場合に、当該報知演出と同様の演出態様の演出を行う偽演出を行うことが可能である。
【００６５】
サブ制御部９１は、第１の内部当選コマンドを受信し、当該第１の内部当選コマンドに基づいて特別役としてＢＢ１が当選していることが特定されるとき、または、第２の内部当選コマンドを受信し、当該第２の内部当選コマンドに基づいて特別再遊技、特別再遊技＋ＡＴのいずれかが当選していることが特定されるときに、第１の演出実行条件が成立したとして報知演出の制御を開始する。また、第２の内部当選コマンドを受信し、当該第２の内部当選コマンドに基づいて通常再遊技が当選していることが特定されるときに、偽演出を行うか否かを決定する偽演出抽選を行い、当該偽演出抽選にて当選した場合には、第２の演出実行条件が成立したとして偽報知演出の制御を開始する。
【００６６】
報知演出の制御では、ゲームの開始時において、当該報知演出の制御を開始する契機となった内部当選コマンドを受信したときから、その後、加速完了コマンドを受信するときまでの期間内に、液晶表示器５１において、特定図柄（本実施例では、「ＢＡＲ」の図柄）をリールに停止させることを促す報知画像（本実施例では、「ＢＡＲ」の図柄の画像及び「狙え」のメッセージ画像）の表示を開始させるとともに、リールの停止順を示唆する押し順画像（本実施例では、液晶表示器５１の表示領域５１ａ内において、中リールに対応する位置に表示される「１」の画像）の表示を開始させる。そして、報知画像及び押し順画像の表示を開始させた後は、これらの画像の表示を継続させ、遊技終了コマンドを受信したときに、これらの画像の表示を終了させる。メイン制御部４１は、報知画像及び押し順画像の表示を終了させる際に、当該報知演出の制御も終了させる。
【００６７】
このように、報知演出では、報知画像とともに押し順画像を表示させることで、左第１停止として特定画像（本実施例では、「ＢＡＲ」の図柄）を停止させるタイミングで、リールを停止させる停止操作態様を報知し、特定図柄をリールに停止させることを促すようになっている。また、報知演出の制御では、加速完了コマンドを受信するときまで、すなわちメイン制御部４１側にてゲームの開始に伴い全てのリールが定速回転となり、ストップスイッチ８Ｌ、８Ｃ、８Ｒによる停止操作の受け付けが有効となる前に、液晶表示器５１における報知画像及び押し順画像の表示を開始させるので、リールを停止させるために有効なストップスイッチによる停止操作が行われる前に、特定図柄をリールに停止させる操作態様を遊技者等に認識させることができるようになっている。
【００６８】
偽演出の制御では、報知演出の制御と同様の制御を行うことで、報知演出と同様の演出態様の演出を行うようになっており、ゲームの開始時において、内部当選コマンドを受信したときから、加速完了コマンドを受信するときまでの期間内に、液晶表示器５１における報知画像及び押し順画像の表示を開始させ、その後、これらの画像の表示を継続させて、遊技終了コマンドを受信したときに、これらの画像の表示を終了させる。メイン制御部４１は、報知画像及び押し順画像の表示を終了させる際に、当該偽演出の制御も終了させる。
【００６９】
このように、偽演出では、報知演出と同様の演出態様の演出を行うので、報知演出と同様に、リールを停止させるために有効なストップスイッチによる停止操作が行われる前に、特定図柄をリールに停止させる操作態様を遊技者等に認識させることができるようになっている。偽演出では、報知演出と同様の演出態様の演出を行うので、報知演出と偽演出とを演出態様から判別できないようになっている。
【００７０】
次に、内部抽選にて特別再遊技役、特別再遊技役＋ＡＴが当選したゲームにおいてメイン制御部４１が行うリール制御の流れ、及びサブ制御部９１が行う報知演出について、図７に基づいて説明する。
【００７１】
図７（ａ）に示すように、メイン制御部４１は、ゲームの開始時に、内部抽選にて特別再遊技役または特別再遊技役＋ＡＴが当選した場合には、当該特別再遊技役または特別再遊技役＋ＡＴが当選した旨を特定可能な内部当選コマンドを送信し、ゲームの開始に伴って全てリールの回転を開始させる。その後、全てリール２Ｌ、２Ｃ、２Ｒが所定の定速状態となった際に、ストップスイッチ８Ｌ、８Ｃ、８Ｒによる停止操作の受け付けを有効化して、回転中のリールについて停止操作が行われるまで待機する。
【００７２】
これに対して、サブ制御部９１は、内部当選コマンドを受信したときに、当該内部当選コマンドに基づいて、特別再遊技役または特別再遊技役＋ＡＴの当選が特定される場合には、第１の演出実行条件が成立したとして報知演出の制御を開始し、液晶表示器５１における報知画像及び押し順画像の表示を開始させる。その後、各リールの停止操作が行われることで停止操作時コマンドを受信するまで待機する。
【００７３】
そして、メイン制御部４１は、ストップスイッチ８Ｌ、８Ｃ、８Ｒによる停止操作の受け付けを有効化した後、各リールについてストップスイッチにより停止操作が行われることで、停止操作態様（停止順、停止タイミング）に応じて、該当するリールを停止させる制御を行う。
【００７４】
図７（ｂ）に示すように、第１停止操作として、中リールにおいて「ＢＡＲ」を入賞ラインＬＮ上に引き込むことが可能なタイミングでストップスイッチ８Ｃが操作された場合には、当該「ＢＡＲ」を入賞ラインＬＮ上に引き込んで停止させる一方で、図７（ｃ）に示すように、第１停止操作として、中リールにおいて「ＢＡＲ」を入賞ラインＬＮ上に引き込むことが不可能なタイミングでストップスイッチ８Ｃが操作された場合には、「リプレイａ」を入賞ラインＬＮ上に引き込んで停止させる。
【００７５】
そして、図７（ｄ）に示すように、第１停止において中リールの入賞ラインＬＮ上に「ＢＡＲ」が停止された後、ストップスイッチ８Ｌが操作されたときには、左リール２Ｌの入賞ラインＬＮ上に「ベル」を引き込んで停止させ、ストップスイッチ８Ｒが操作されたときには、右リール２Ｒの入賞ラインＬＮ上に「リプレイａ」を引き込んで停止させる。これにより、ＡＴに関する抽選に当選したこととなることがある特別再遊技役の図柄組合せが入賞ラインＬＮ上に停止されることとなる。
【００７６】
これに対して、サブ制御部９１は、各リールについて停止操作が行われて停止操作時コマンドを受信する毎に、当該停止操作時コマンドに基づいて各リールに停止する図柄を特定する。そして、全てのリールについて停止操作が行われ、第３停止のストップスイッチの操作が終了されることで遊技終了コマンドを受信したとき、すなわちゲームが終了されるときに、入賞ラインＬＮ上に特別再遊技役の図柄組合せが停止していることが特定される場合には、演出装置として各リール２Ｌ、２Ｃ、２Ｒの内側に設けられており、リールを背面から照射するリールＬＥＤ５５を、予め定められた点灯態様Ａで点灯制御させることで、リールＬＥＤ５５のうち中リールの入賞ラインＬＮ上の図柄部分のＬＥＤを所定態様で点滅させるとともに、演出装置として前面扉１ｂに設けられているスピーカ５３、５４から、予め定められた報知音Ａを出力制御させることで、特別再遊技役が入賞した旨、中リールの入賞ラインＬＮ上に特定図柄（「本実施例では、「ＢＡＲ」）が停止している旨を報知する。
【００７７】
また、図７（ｅ）に示すように、第１停止において中リールの入賞ラインＬＮ上に「リプレイａ」が停止された後、ストップスイッチ８Ｌが操作されたときには、左リール２Ｌの入賞ラインＬＮ上に「リプレイａ」または「リプレイｂ」のうち引込可能な範囲にあるいずれかの図柄を引き込んで停止させ、ストップスイッチ８Ｒが操作されたときには、右リール２Ｒの入賞ラインＬＮ上に「リプレイａ」を引き込んで停止させる。
【００７８】
これに対して、サブ制御部９１は、各リールについて停止操作が行われて停止操作時コマンドを受信する毎に、当該停止操作時コマンドに基づいて各リールに停止する図柄を特定する。そして、第３停止の操作が終了することで遊技終了コマンドを受信したとき、すなわちゲームが終了されるときに、入賞ラインＬＮ上に通常再遊技役の図柄組合せが停止していることが特定される場合には、リールＬＥＤ５５を、点灯態様Ａとは異なる所定態様の点灯態様Ｂで点灯制御させることで、リールＬＥＤ５５のうち左中右リールの入賞ラインＬＮ上の図柄部分のＬＥＤを点灯態様Ａとは異なる所定態様で点滅させるとともに、スピーカ５３、５４から、報知音Ａとは異なる所定態様の報知音Ｂを出力制御させることで、通常再遊技役が入賞した旨を報知する。
【００７９】
尚、メイン制御部４１は、内部抽選にて抽選対象役として特別再遊技または特別再遊技＋ＡＴが当選したときに、第１停止として中リール以外のリールを停止させる停止操作が行われる場合には、第１停止のリールが左リール、右リールのいずれであるか及び各リールの停止操作のタイミングに関わらず、各リールについて停止操作が行われる毎に、通常再遊技役の図柄組合せの構成図柄を入賞ラインＬＮに停止させることで、通常再遊技役が入賞することとなる。
【００８０】
このように、内部抽選にて抽選対象役として特別再遊技または特別再遊技＋ＡＴが当選した場合は、ゲームが開始された際に、サブ制御部９１により報知演出が行われて、中第１停止の停止順で特定図柄（本実施例では、「ＢＡＲ」の図柄）をリールに停止させることを促されることとなり、当該報知演出により報知される中第１停止の停止順かつ特定図柄（本実施例では、「ＢＡＲ」の図柄）をリールに停止させるタイミングで停止操作を行うことで、特別再遊技役の図柄組合せを入賞ラインＬＮ上に停止させることができ、特定図柄（本実施例では、「ＢＡＲ」）が中リールの入賞ラインＬＮ上に停止される。一方で、当該報知演出により報知される操作態様以外の操作態様で停止操作を行うことで、通常再遊技役の図柄組合せが入賞ラインＬＮ上に停止することとなり、特定図柄（本実施例では、「ＢＡＲ」）が中リールの入賞ラインＬＮ上に停止することとがないようになっている。
【００８１】
また、内部抽選にて抽選対象役として特別再遊技または特別再遊技＋ＡＴが当選した場合は、報知演出により報知される中第１停止の停止順かつ特定図柄（本実施例では、「ＢＡＲ」の図柄）をリールに停止させるタイミングで停止操作を行うことで、ＡＴに関する抽選に当選したこととなることがある特別再遊技役の図柄組合せが入賞ラインＬＮ上に停止されることとなる。
【００８２】
また、サブ制御部９１は、特別再遊技役が入賞した場合すなわち中リールの入賞ラインＬＮ上に特定図柄が停止した場合には、リールＬＥＤ５５を点灯態様Ａで点灯制御させるとともに、報知音Ａをスピーカ５３、５４から出力制御させることにより、特別再遊技役が入賞したこと、中リールの入賞ラインＬＮ上に特定図柄が停止していることを報知する一方で、通常再遊技役が入賞した場合すなわちいずれのリールにおいても特定図柄が停止していない場合には、リールＬＥＤ５５を点灯態様Ａと異なる点灯態様Ｂで点灯制御させるとともに、報知音Ａと異なる報知音Ｂをスピーカ５３、５４から出力制御させることにより、通常再遊技役が入賞したことを報知するようになっており、リールＬＥＤ５５の点灯態様、スピーカ５３、５４からの出力音の違いにより、特別再遊技役が入賞したこと、中リールの入賞ラインＬＮ上に特定図柄が停止していることを遊技者に認識させることができるようになっている。
【００８３】
次に、内部抽選にて特別役としてＢＢ１が当選しているゲームにおいてメイン制御部４１が行うリール制御の流れ、及びサブ制御部９１が行う報知演出について、図８に基づいて説明する。
【００８４】
図８（ａ）に示すように、メイン制御部４１は、ゲームの開始時に、内部抽選にて特別役のみが当選した場合、または当該ゲーム以前のゲームにおいて特別役が当選し、当該特別役の当選フラグが持ち越されている状態で、当該ゲームの内部抽選にていずれの役も当選しなかった場合には、当該特別役のみが当選している旨を特定可能な内部当選コマンドを送信し、ゲームの開始に伴って全てリールの回転を開始させる。その後、全てリール２Ｌ、２Ｃ、２Ｒが所定の定速状態となった際に、ストップスイッチ８Ｌ、８Ｃ、８Ｒによる停止操作の受け付けを有効化して、回転中のリールについて停止操作が行われるまで待機する。
【００８５】
これに対して、サブ制御部９１は、内部当選コマンドに基づいて特別役のみが当選していることが特定される場合には、第１の演出実行条件が成立したとして報知演出の制御を開始し、液晶表示器５１における報知画像及び押し順画像の表示を開始させた後、停止操作時コマンドを受信するまで待機する。
【００８６】
そして、図８（ｂ）に示すように、メイン制御部４１は、ストップスイッチ８Ｌ、８Ｃ、８Ｒによる停止操作の受け付けを有効化した後、第１停止操作として、中リールにおいて「ＢＡＲ」を入賞ラインＬＮ上に引き込むことが可能なタイミングでストップスイッチ８Ｃが操作された場合には、当該「ＢＡＲ」を入賞ラインＬＮ上に引き込んで停止させる。
【００８７】
また、図８（ｃ）に示すように、第１停止において中リールの入賞ラインＬＮ上に「ＢＡＲ」が停止された後、ストップスイッチ８Ｌが操作されたときには、左リール２Ｌの入賞ラインＬＮ上に「リプレイａ」または「リプレイｂ」のうち引込可能な範囲にある図柄を引き込んで停止させ、ストップスイッチ８Ｒが操作されたときには、右リール２Ｒの入賞ラインＬＮ上に「ベル」を引き込んで停止させる。これにより、入賞ラインＬＮ上には、特別役としてＢＢ１が当選していることを条件に停止されるリーチ目が停止することとなる。
【００８８】
これに対して、サブ制御部９１は、各リールについて停止操作が行われて停止操作時コマンドを受信する毎に、当該停止操作時コマンドに基づいて各リールに停止する図柄を特定する。そして、全てのリールについて停止操作が行われ、第３停止のストップスイッチの操作が終了されることで遊技終了コマンドを受信したとき、すなわちゲームが終了されるときに、入賞ラインＬＮ上にＢＢ１のリーチ目の図柄組合せが停止していること、すなわち中リールの入賞ラインＬＮ上に特定図柄（「本実施例では、「ＢＡＲ」）が停止していることが特定される場合には、上述の特別再遊技役が入賞したときと同様に、リールＬＥＤ５５を点灯態様Ａで点灯制御させることで、リールＬＥＤ５５のうち中リールの入賞ラインＬＮ上の図柄部分のＬＥＤを所定態様で点滅させるとともに、スピーカ５３、５４から報知音Ａを出力させることで、中リールの入賞ラインＬＮ上に特定図柄（「本実施例では、「ＢＡＲ」）が停止していることを報知する。
【００８９】
尚、メイン制御部４１は、当然に、内部抽選にて特別役としてＢＢ１のみが当選している場合において、各リールにおいてＢＢ１の図柄組合せの構成図柄（「赤７」）を入賞ラインＬＮに停止させることが可能なタイミングで停止操作が行われるときには、リールの停止順に関わらず、該当するリールにおいてＢＢ１の構成図柄を入賞ラインＬＮに引き込んで停止させる。これにより、全てのリールが停止されたときに、入賞ラインＬＮ上にＢＢ１の図柄組合せが停止している場合には、ＢＢ１が入賞することとなる。また、中第１停止かつ中リールについて「ＢＡＲ」及び「赤７」のいずれも入賞ラインＬＮ上に引き込むことが不可能なタイミングで停止操作が行われた場合、または、左右リールの少なくともいずれか一方のリールにおいて、ＢＢ１の図柄組合せの構成図柄（「赤７」）を入賞ラインＬＮに停止させることが不可能なタミングで停止操作が行われた場合には、全てのリールが停止されたときに、入賞ラインＬＮ上にＢＢ１の図柄組合せもＢＢ１のリーチ目の図柄組合せも停止することはない。また、メイン制御部４１は、ＢＢ１が入賞したとき、及びいずれの役も入賞しないときには、少なくとも点灯態様Ａを用いたリールＬＥＤ５５の点灯制御、及び報知音Ａを用いたスピーカ５３、５４からの出力制御を行わない。
【００９０】
このように、内部抽選にて特別役のみが当選している場合は、ゲームが開始された際に、サブ制御部９１により報知演出が行われて、中第１停止の停止順で特定図柄（本実施例では、「ＢＡＲ」の図柄）をリールに停止させることを促されることとなり、当該報知演出により報知される中第１停止の停止順かつ特定図柄（本実施例では、「ＢＡＲ」の図柄）をリールに停止させるタイミングで停止操作を行うことで、ＢＢ１のリーチ目の図柄組合せを入賞ラインＬＮ上に停止させることができ、特定図柄（本実施例では、「ＢＡＲ」）が中リールの入賞ラインＬＮ上に停止される。一方で、当該報知演出により報知される中第１停止の停止順で特定図柄をリールに停止させるタミング以外の操作態様で停止操作を行う場合、すなわち中第１停止の停止順かつ特定図柄をリールに停止させることができないタミングで停止操作を行う場合、左第１停止、右第１停止で停止操作を行う場合には、各リールについてＢＢ１の構成図柄を停止させることができる停止タイミングで停止操作を行うことで、ＢＢ１の図柄組合せが停止して、各リールについてＢＢ１の構成図柄を停止させることができない停止タイミングで停止操作が行われることで、いずれの役の図柄組合せも構成しない図柄（はずれ）が入賞ラインＬＮ上に停止することとなり、特定図柄（本実施例では、「ＢＡＲ」）が中リールの入賞ラインＬＮ上に停止することとがないようになっている。
【００９１】
また、サブ制御部９１は、ＢＢ１のリーチ目の図柄組合せが停止した場合すなわち合すなわち中リールの入賞ラインＬＮ上に特定図柄が停止した場合には、リールＬＥＤ５５を点灯態様Ａで点灯制御させるとともに、報知音Ａをスピーカ５３、５４から出力制御させることにより、特別再遊技役の入賞時と共通の報知態様（点灯態様Ａ、報知音Ａ）で、リーチ目の図柄組合せが停止したこと、中リールの入賞ラインＬＮ上に特定図柄が停止していることを遊技者に認識させることができるようになっている。
【００９２】
次に、内部抽選にて通常再遊技役が当選し、偽演出抽選にて当選したゲームにおいてメイン制御部４１が行うリール制御の流れ、及びサブ制御部９１が行う偽演出について、図９に基づいて説明する。
【００９３】
図９（ａ）に示すように、メイン制御部４１は、ゲームの開始時に、内部抽選にて通常再遊技が当選した場合には、当該通常再遊技が当選している旨を特定可能な内部当選コマンドを送信し、ゲームの開始に伴って全てリールの回転を開始させる。その後、全てリール２Ｌ、２Ｃ、２Ｒが所定の定速状態となった際に、ストップスイッチ８Ｌ、８Ｃ、８Ｒによる停止操作の受け付けを有効化して、回転中のリールについて停止操作が行われるまで待機する。
【００９４】
これに対して、サブ制御部９１は、内部当選コマンドに基づいて通常再遊技が当選していることが特定される場合には、偽演出を行うか否かを決定する偽演出抽選を行う。そして、当該偽演出抽選にて当選した場合には、第２の演出実行条件が成立したとして偽演出の制御を開始し、液晶表示器５１における報知画像及び押し順画像の表示を開始させた後後、停止操作時コマンドを受信するまで待機する。
【００９５】
そして、図９（ｂ）に示すように、メイン制御部４１は、ストップスイッチ８Ｌ、８Ｃ、８Ｒによる停止操作の受け付けを有効化した後、第１停止操作としてストップスイッチ８Ｃが操作された場合には、当該操作のタイミングに関わらず、「リプレイａ」を入賞ラインＬＮ上に引き込んで停止させる。
【００９６】
また、図９（ｃ）に示すように、第１停止において中リールの入賞ラインＬＮ上に「リプレイａ」が停止された後、ストップスイッチ８Ｌが操作されたときには、左リールの入賞ラインＬＮ上に「リプレイａ」または「リプレイｂ」のうち入賞ラインＬＮに引き込むことが可能な範囲にある図柄を引き込んで停止させ、ストップスイッチ８Ｒが操作されたときには、右リール２Ｒの入賞ラインＬＮ上に「リプレイａ」を引き込んで停止させる。これにより、入賞ラインＬＮ上には、通常再遊技役の図柄組合せが停止して、通常再遊技役が入賞することとなる。
【００９７】
これに対して、サブ制御部９１は、各リールについて停止操作が行われて停止操作時コマンドを受信する毎に、当該停止操作時コマンドに基づいて各リールに停止する図柄を特定する。そして、全てのリールについて停止操作が行われ、第３停止のストップスイッチの操作が終了されることで遊技終了コマンドを受信したとき、すなわちゲームが終了されるときに、通常再遊技役の図柄組合せが入賞ラインＬＮ上に停止していることが特定される場合には、上述の内部抽選にて特別再遊技が当選した場合に通常再遊技役が入賞したときと同様に、リールＬＥＤ５５を点灯態様Ａと異なる点灯態様Ｂで点灯制御させることで、リールＬＥＤ５５のうち左中右リールの入賞ラインＬＮ上の図柄部分のＬＥＤを点灯態様Ａとは異なる所定態様で点滅させるとともに、報知音Ａと異なる報知音Ｂをスピーカ５３、５４から出力制御させることで、通常再遊技役が入賞した旨を報知する。
【００９８】
このように、内部抽選にて通常再遊技が当選している場合であり、かつ偽演出抽選にて当選した場合には、ゲームが開始された際に、サブ制御部９１により報知演出と同様の演出態様の偽演出が行われて、中第１停止の停止順で特定図柄（本実施例では、「ＢＡＲ」の図柄）をリールに停止させることを促されることとなるが、リールの停止操作態様に関わらず、通常再遊技役の図柄組合せが入賞ラインＬＮ上に停止することとなる。すなわち、サブ制御部９１により報知演出と同様の演出態様の演出が行われる場合であっても、特定図柄（本実施例では、「ＢＡＲ」）が中リールの入賞ラインＬＮ上に停止させることができないことがあるようになっている。
【００９９】
また、サブ制御部９１は、報知演出と同様の演出態様による偽演出を行う場合であっても、全てのリールが停止したときに、通常再遊技役の図柄組合せが入賞ラインＬＮ上に停止している場合、すなわち通常再遊技役が入賞した場合には、特別再遊技役が入賞した場合やＢＢ１のリーチ目の図柄組合せが停止した場合に用いられる点灯態様Ａ及び報知音Ａを用いることなく、点灯態様Ｂを用いてリールＬＥＤ５５を点灯制御させるとともに、報知音Ｂを用いてスピーカ５３、５４から出力制御させることにより、内部抽選にて特別再遊技が当選した場合に、通常再遊技役が入賞したときと同様の演出態様で、通常再遊技役の入賞を報知するので、当該入賞の報知により、入賞ラインＬＮ上に特別再遊技役の図柄組合せまたはＢＢ１のリーチ目の図柄組合せが停止したと誤って認識させてしまうことがないようになっている。
【０１００】
従来のスロットマシンでは、所定条件が成立したときに、遊技者にリールの停止順を示唆する押し順ナビを行うことが可能であり、内部抽選の抽選対象役として、押し順ナビにより報知された停止順にて停止操作を行うか否かに関わらず、所定の図柄組合せがリールに停止して入賞することとなるリプレイが含まれており、当該リプレイが内部抽選にて当選したときに、押し順ナビを行うことによりボーナスの当選を示唆する構成のものがある。
【０１０１】
このような構成では、押し順ナビにより報知された停止順でリールの停止操作を行ったか否かに関わらず、必ずリプレイが入賞する構成であって、押し順ナビとそれに従って停止順での停止した際に、リールに停止する図柄組合せとの関連性が薄いものであり、十分に興趣を高められるものではなかった。
【０１０２】
これに対して、本実施例のスロットマシン１は、ゲームの進行を制御するメイン制御部４１と、各種演出装置を制御して演出を実行するサブ制御部９１とを備え、メイン制御部４１は、内部抽選の結果に応じてリール２Ｌ、２Ｃ、２Ｒの停止制御を行うことが可能であり、内部抽選により入賞が許容された入賞役の図柄組合せがリールに停止することで、当該入賞役の入賞を発生させる構成であって、内部抽選の抽選対象となる抽選対象役には、第１の抽選対象役として、入賞することでリプレイゲームが付与される再遊技役である特別再遊技役を含む特別再遊技と、第２の抽選対象役として、入賞することで遊技者にとって有利なボーナス状態に制御されることとなる特別役（ＢＢ１）とが含まれ、特別再遊技役の図柄組合せには、中リールに特定図柄（本実施例では、「ＢＡＲ」）が含まれており、メイン制御部４１は、内部抽選にて第１の抽選対象役である特別再遊技が当選した場合には、図柄組合せに特定図柄（本実施例では、「ＢＡＲ」）を含む特別再遊技役の図柄組合せをリールに停止させることを可能に制御し、内部抽選にて第２の抽選対象役である特別役が当選している場合であって、中リールについて、当該当選している特別役（ＢＢ１）の図柄組合せの構成図柄を停止させることができないタイミングで停止操作が行われた場合には、特別再遊技役の図柄組合せとは異なる図柄組合せで構成されるが、中リールに特定図柄（本実施例では、「ＢＡＲ」）を含む図柄組合せであるＢＢ１のリーチ目の図柄をリールに停止させることを可能に制御する構成であり、サブ制御部９１は、メイン制御部４１側において内部抽選にて、第１の抽選対象役が当選したときにも第２の抽選対象役が当選したときにも、特定図柄（本実施例では、「ＢＡＲ」）をリールに停止させることを促す報知演出を実行する構成である。
【０１０３】
このような構成では、内部抽選にて第１の抽選対象役が当選したときに、特定図柄をリールに停止させることを促す報知演出が実行されるとともに、この際、報知演出により報知される操作態様にてリールの停止操作を行うことにより、中リールに特定図柄を含む特別再遊技役の図柄組合せをリールに停止させることができる。一方で、内部抽選にて第２の抽選対象役が当選したときにも、報知演出が実行されるとともに、この際、報知演出により報知される操作態様にてリールの停止操作を行うことにより、中リールに特定図柄を含むＢＢ１のリーチ目の図柄組合せをリールに停止させることができ、ＢＢ１のリーチ目が停止することで、さらにボーナス態への移行を伴う特別役（ＢＢ１）が内部抽選にて当選している状態であることを示唆することができる。このため、報知演出が実行されることで一次的には、ＡＴに関する抽選に当選したこととなることがある特別再遊技役が内部抽選にて当選した可能性が示唆され、さらに特定図柄を含む図柄組合せをリールに停止させる停止態様で停止操作を行った結果、ＢＢ１のリーチ目の図柄組合せがリールに停止されることで、二次的にボーナス態への移行を伴う特別役であるＢＢ１が内部抽選にて当選していることを示唆することができる。この際、単に、報知演出により、特別再遊技が当選していること、特別役（ＢＢ１）が当選していることが示唆されるだけでなく、特別再遊技役と特別役（ＢＢ１）のリーチ目とに共通する構成図柄である特定図柄をリールに停止させることを促す演出、すなわちリールに停止することとなる図柄と関連する演出が実行されるので、報知演出が実行される際の興趣を効果的に高めることができる。
【０１０４】
尚、本実施例では、サブ制御部９１は、報知演出において、特定図柄を含む報知画像（本実施例では、「ＢＡＲ」の図柄の画像）を液晶表示器５１に表示させることで、直接的に特定図柄（本実施例では、「ＢＡＲ」）を示唆する構成であるが、報知演出は、特定図柄を含む図柄の組合せの停止を促す演出であれば良く、特定図柄を直接的に示唆するものでも良いし、特定図柄を間接的に示唆するものでも良い。特定図柄を直接的に示唆するものとして、本実施例のように特定図柄の画像を含む報知画像を表示する構成以外にも、特定図柄を想起させる画像等（例えば、特定図柄に類似する画像、特定図柄の呼称や略称を示す文字画像や音声、特定図柄に対応する色の画像等）を表示等させるものなどが該当する。また、特定図柄を間接的に示唆するものとして、特定図柄を停止させる操作態様（操作タイミング、操作順等）を示唆するものなどが該当する。
【０１０５】
具体的には、特定図柄を直接的に示唆する報知演出の構成として、例えば、図１０（ａ）に示すように、報知画像として、特定図柄を示唆する画像を含めずに、所定の停止タイミングで停止操作を行うことを示唆するメッセージの画像（「狙え！！」）のみを含める構成としても良いし、例えば、図１０（ｂ）に示すように、押し順画像として、順番を示す数字の画像を含めずに、第１停止となるリールと対応する位置に表示される矢印の画像を含める構成としても良いし、これらの画像を組合せた構成（例えば、図１０（ｃ）参照）であっても良い。このような構成においても、報知画像が表示されることで、所定の停止順で特定図柄をリールに停止させることを想起させることができる。
【０１０６】
また、特定図柄を間接的に示唆する報知演出の構成として、例えば、図１０（ｄ）に示すように、報知演出として、報知画像を表示させずに、所定の停止順で停止操作を行うことを示唆する押し順画像（中リールに対応する位置に表示され、中リールを第１停止とする停止順を示唆する「１」の画像）のみを表示させる構成であっても良いし、例えば、図１０（ｅ）に示すように、報知演出として、押し順画像を表示させずに、所定の停止タイミングで停止操作を行うことを示唆するメッセージの画像（「狙え！！」）を含む報知画像のみを表示させる構成であっても良いし、特に図示しないが、例えば、報知演出のみに用いる特定のキャラクタの画像や特定のメッセージの画像、特定の色の画像、特定の記号の画像を表示する構成であっても良い。このような構成においては、遊技店等において設置されている小冊子やスロットマシン１の筐体等に、特定の停止操作態様にて特定図柄（本実施例では、「ＢＡＲ」）をリールに停止させることを促す演出であることを遊技者が認識可能に表示することや、スロットマシン１の液晶表示器５１における報知演出以外の演出にて、報知演出の趣旨を表示することで、スロットマシン１において報知演出が行われることで、所定の停止順で特定図柄をリールに停止させることを想起させることができ、当該報知演出により、特定図柄（本実施例では、「ＢＡＲ」）をリールに停止させることを促すことができる。
【０１０７】
また、本実施例では、内部抽選にて抽選対象となる第２の抽選対象役として、遊技者にとって有利な有利状態であるボーナス状態に制御されることとなる特別役（ＢＢ１）を適用する構成であるが、第２の抽選対象役として、遊技者にとって有利な特典が付与され得る役を適用する構成であっても良く、このような構成において、遊技者にとって有利な特典は、ゲームに使用可能な価値（メダル）、再遊技、有利状態へ移行させることが可能となる権利（有利状態を発生するか否かを決定する抽選に当選すること、有利状態へ移行する入賞が許容されることなど）、遊技者にとって有利な操作態様が報知される権利、遊技用価値が付与される期待値が高い遊技状態に制御される権利、現在の遊技状態が遊技者にとって有利な遊技状態か否かが報知される権利、有利状態に制御される期間（固定ゲーム数、終了条件によって変動するゲーム数の平均値等）など、遊技者にとって直接的な有利な特典であっても良いし、遊技者にとって直接的に有利ではないが、例えば、インターネット上で特典を得るための条件となる等、遊技者にとって間接的に有利な特典であっても良い。
【０１０８】
また、本実施例では、第１の抽選対象役が当選することで、停止することが許容されることなる特別再遊技役の図柄組合せ、及び第２の抽選対象役が当選することで、停止することが許容されることなるＢＢ１のリーチ目の図柄組合せとして、いずれの図柄組合せも中リールに特定図柄（本実施例では、「ＢＡＲ」）を含む図柄組合せを適用する構成であるが、第１の抽選対象役が当選することで停止することが許容される図柄組合せ、及び第２の抽選対象役が当選することで停止することが許容される図柄組合せは、いずれかのリールに特定図柄を含む構成であれば良く、特定図柄を２つ以上含む構成、中リール以外のいずれか一のリールまたは二のリール、または全てのリールに特定図柄を含む構成、特定図柄が入賞ラインＬＮ上以外の位置すなわち無効ラインＬＭ１〜４上のいずれか一または二以上の複数の位置に停止する構成であっても良い。
【０１０９】
また、本実施例では、第１の抽選対象役が当選することで、停止することが許容されることとなる特別再遊技役の図柄組合せは、「ベル‐ＢＡＲ‐リプレイａ」であり、第２の抽選対象役が当選することで、停止することが許容されることなるＢＢ１のリーチ目の図柄組合せは、「リプレイａ‐ＢＡＲ‐ベル」、「リプレイｂ‐ＢＡＲ‐ベル」であって、特別再遊技役及びリーチ目は、互いに異なる図柄組合せであるが、構成図柄に特定図柄（本実施例では、「ＢＡＲ」）を共に含み、また、特定図柄以外の構成図柄についても、「リプレイａ」または「リプレイｂ」と「ベル」とを含むことで、互いに類似する図柄組合せを適用する構成であるが、特別再遊技役の図柄組合せ及びリーチ目の図柄組合せは、少なくとも一の特定図柄（本実施例では、「ＢＡＲ」）を含む組合せであれば良く、本実施例にて適用した以外の図柄組合せであっても良い。
【０１１０】
具体的には、図１１に示すように、特別再遊技役の図柄組合せとして、ＢＢ１のリーチ目と同様に一の特定図柄を含むが、ＢＢ１のリーチ目の図柄組合せとは、特定図柄が停止するリールが異なる図柄組合せ（例えば、図１１（ａ）に示す「ＢＡＲ−○−△」、図１１（ｂ）に示す「○−△−ＢＡＲ」、「○」、「△」は、「ＢＡＲ」以外の図柄である。また、「○」と「△」とは、同じ図柄であっても良いし、互いに類似する図柄であっても良いし、互いに全く異なる図柄であっても良い）を適用する構成、特別再遊技役の図柄組合せとして、ＢＢ１のリーチ目と異なり特定図柄を２以上含む図柄組合せ（例えば、図１１（ｃ）に示す「ＢＡＲ−ＢＡＲ−○」、図１１（ｄ）に示す「○−ＢＡＲ−ＢＡＲ」、図１１（ｅ）に示す「ＢＡＲ−○−ＢＡＲ」、「○」は、「ＢＡＲ」以外の図柄）、図１１（ｆ）に示す「ＢＡＲ−ＢＡＲ−ＢＡＲ」）を適用する構成であっても良い。また、ＢＢ１のリーチ目の図柄組合せとして、特別再遊技役の図柄組合せとは、特定図柄が停止するリールが異なる図柄組合せを適用する構成、特別再遊技役の図柄組合せとして、ＢＢ１のリーチ目と異なり特定図柄を２以上含む図柄組合せを適用する構成であっても良い。
【０１１１】
また、本実施例では、特別再遊技役の図柄組合及びＢＢ１のリーチ目の図柄組合せでは、共に中リールの中段の位置に、特定図柄が停止する構成であるが、特別再遊技役の図柄組合及びＢＢ１のリーチ目の図柄組合せは、少なくともいずれかのリールに特定図柄が含まれる構成であれば良く、特別再遊技役の図柄組合とＢＢ１のリーチ目の図柄組合せとで、特定図柄が停止する位置が異なる構成としても良い。このような構成とすることで、特定図柄が停止する位置によって、特別再遊技役が入賞するか、リーチ目の図柄組合せが停止するかが示唆されるので、リールに停止する特定図柄の位置に着目させることができる。
【０１１２】
また、特別再遊技役の図柄組合とＢＢ１のリーチ目の図柄組合せとで、特定図柄が停止する位置が異なる構成とすることで、特別再遊技役の図柄組合せとＢＢ１のリーチ目の図柄組合せとを特定図柄が導出される点で共通させつつ、２つの組合せの違いを区別させることができる。
【０１１３】
また、特別再遊技役の図柄組合とＢＢ１のリーチ目の図柄組合せとで、特定図柄が停止する位置が異なる構成として、例えば、図１２（ａ）に示すように、特別再遊技役の図柄組合せとして、左リール及び右リールの上段、中リールの下段の位置に停止する構成とする一方で、図１２（ｂ）に示すように、ＢＢ１のリーチ目の図柄組合せとして、左右中リールの下段、中リールの上段の位置に特定図柄が停止する構成とすることで、特別再遊技役の図柄組合とＢＢ１のリーチ目の図柄組合せとで、特定図柄が停止する位置を異ならせることができる。
【０１１４】
また、本実施例では、特別再遊技役の図柄組合及びＢＢ１のリーチ目の図柄組合せでは、共に中リールの入賞ラインＬＮ上に特定図柄が停止する構成であるが、特別再遊技役の図柄組合及びＢＢ１のリーチ目の図柄組合せが、異なるライン（入賞ラインＬＮ、無効ラインＬＭ１〜４）上に停止する構成であっても良い。このような構成とすることで、特別再遊技役の図柄組合せとＢＢ１のリーチ目の図柄組合せとを特定図柄が停止される点で共通させつつ、２つの図柄組合せの違いを区別させることができる。
【０１１５】
また、特別再遊技役の図柄組合及びＢＢ１のリーチ目の図柄組合せが、異なるライン（入賞ラインＬＮ、無効ラインＬＭ１〜４）上に停止する構成として、例えば、図１３（ａ）に示すように、特別再遊技役の図柄組合せとして、各リールの中段の位置すなわち入賞ラインＬＮ上に特定図柄が停止する構成とする一方で、図１３（ｂ）に示すように、左リールの下段、中リールの中段、右リールの上段の位置すなわち無効ラインＬＭ４上に特定図柄が停止する構成とすることで、特別再遊技役の図柄組合とＢＢ１のリーチ目の図柄組合せとで、特定図柄が停止するラインを異ならせることができる。
【０１１６】
また、本実施例では、特別再遊技役の図柄組合及びＢＢ１のリーチ目の図柄組合せでは、共に中リールの入賞ラインＬＮ上に特定図柄が停止する構成であるが、特別再遊技役の図柄組合及びＢＢ１のリーチ目の図柄組合せは、特別再遊技役の図柄組合及びＢＢ１のリーチ目の図柄組合せが入賞ラインＬＮに停止したときに、特定図柄が停止するリール上の位置すなわちリールの上段、中段、下段の位置が異なる構成であっても良い。このような構成とすることで、特別再遊技役の図柄組合せとＢＢ１のリーチ目の図柄組合せとを特定図柄が停止される点で共通させつつ、２つの図柄組合せの違いを区別させることができる。
【０１１７】
尚、本実施例では、特別役の当選時において、中第１停止の停止順にて停止操作が行われる場合には、リーチ目を停止させることが可能となるようにリールの停止制御を行う一方で、中第１停止以外の停止順にて停止操作が行われる場合には、リーチ目を停止させないようにリールの停止制御を行う構成であるが、特別役の当選時において、停止順に関わらず、リーチ目を停止させることが可能となるようにリールの停止制御を行う構成であっても良い。
【０１１８】
また、本実施例では、第１の抽選対象役として再遊技役であり、入賞時にメダルの払い出しを伴わない特別再遊技、第２の抽選対象役として特別役を適用する構成であるが、第１の抽選対象役として入賞時にメダルの払い出しを伴う小役を適用する構成であっても良い。このような構成として、例えば、第１の抽選対象役として、入賞役として入賞ラインＬＮに「ベル‐ベル‐ベル」が停止することで入賞が発生して所定枚数のメダルが付与されるベルを含む特定小役を適用するとともに、第２の抽選対象役として特別役のリーチ目として、無効ラインＬＭ１〜４のいずれかに「ベル‐ベル‐ベル」が停止する図柄組合せを適用しても良い。このような構成では、サブ制御部９１は、内部抽選にて特定小役、特別役の当選が特定されるときに、特定図柄として「ベル」をリールに停止させることを促す報知演出を実行する構成（例えば、黄色をイメージさせる報知、押し順が正解することでベルが入賞する場合には、押し順の報知等を行う構成）とすることで、報知演出により報知される操作態様にてリールの停止操作を行うことにより、入賞ラインＬＮまたは無効ラインＬＭ１〜４のいずれかに「ベル‐ベル‐ベル」を停止させることができる。そして、報知演出により報知される操作態様にてリールの停止操作を行った結果として、入賞ラインＬＮまたは無効ラインＬＭ１〜４のいずれかに「ベル‐ベル‐ベル」が停止した場合には、「ベル‐ベル‐ベル」が揃うことで特定小役または特別役のいずれかの当選を示唆することができるとともに、メダルの払い出しが行われることで、特定小役が当選していたことを示唆する一方で、メダルの払い出しが行われないことで、特別役が当選していたことを示唆することができる。
【０１１９】
本実施例のサブ制御部９１は、メイン制御部４１側において内部抽選にて、第１の抽選対象役が当選したときにも第２の抽選対象役が当選したときにも、特定図柄（本実施例では、「ＢＡＲ」）をリールに停止させることを促す報知演出を実行する構成であり、サブ制御部９１は、報知演出として、特定図柄を示唆する報知画像及び中第１停止の停止順を示唆する押し順画像を液晶表示器５１に表示させることで、特定図柄を中リールに停止させる操作態様を示唆する演出を行うので、報知演出により特定図柄を含む図柄組合せ、すなわち特別再遊技役の図柄組合せ及びＢＢ１のリーチ目の図柄組合せを停止させることが可能な操作態様での操作を促すことができる。
【０１２０】
本実施例のメイン制御部４１が行う内部抽選では、当該内部抽選にて当選することで報知演出が行われることとなる第２の抽選対象役を抽選対象役として含み、第２の抽選対象役は、特別役（ＢＢ１）であり、当該特別役（ＢＢ１）の図柄組合せがリールに停止して当該特別役（ＢＢ１）が入賞することで、遊技者にとって有利なボーナス状態へ移行させるので、特別役（ＢＢ１）のリーチ目がリールに停止されることで、ボーナス状態に制御されることへの期待感を高めることができる。
【０１２１】
尚、本実施例では、内部抽選の抽選対象役として特別役（ＢＢ１）を含み、メイン制御部４１は、当該特別役（ＢＢ１）の図柄組合せがリールに停止して当該特別役（ＢＢ１）が入賞することで、遊技者にとって有利な有利状態である一のボーナス状態に制御する構成であるが、メイン制御部４１は、有利状態として、有利度の異なる複数種類のボーナス状態に制御することが可能であるとともに、内部抽選の抽選対象役として、複数種類のボーナス状態うちの一のボーナス状態に対応する複数種類の特別役を含み、一の特別役が入賞することで当該特別役に対応する位置のボーナス状態に制御する構成であっても良い。このような構成において、少なくとも一の特別役が当選していることを条件として停止するリーチ目の図柄組合せとして、特定図柄が停止する位置の異なる複数種類のリーチ目の図柄組合せが含まれ、一のリーチ目の図柄組合せがリールに停止されたときに、停止したリーチ目の図柄組合せの種類に応じて、当選している特別役により制御されることとなるボーナス状態の種類が示唆される構成とすることで、リーチ目の図柄組合せが停止されたときに、特定図柄が停止される位置に応じてボーナス状態の種類が示唆されるので、リールに停止する特定図柄の位置に着目させることができる。
【０１２２】
また、特定図柄が停止する位置とは、例えば、一のリールにおいて特定図柄が停止する位置、すなわち当該リールにおいて上段、中段、下段や、特定図柄が停止されるリール、すなわち左リール、中リール、右リールなどが該当する。
【０１２３】
具体的には、例えば、図１２（ａ）に示すように、特別再遊技役の図柄組合せを、当該特別再遊技役が入賞ラインＬＮに停止した際に、左中右リールの中段すなわち入賞ラインＬＮに「ＢＡＲ」が停止する図柄組合せとする一方、図１２（ｂ）に示すように、特別役のリーチ目の図柄組合せを、当該リーチ目が入賞ラインＬＮに停止した際に、左リールの下段、中リールの中段、右リールの上段すなわち無効ラインＬＭ４に「ＢＡＲ」が停止する図柄組合せとする構成、特に図示しないが、例えば、特別再遊技役の図柄組合せまたは特別役のリーチ目の図柄組合せのうちのいずれか一方の図柄組合せを入賞ラインＬＮに「ＢＡＲ」が停止する図柄組合せとする一方で、他方の図柄組合せを上述の無効ラインＬＭ１〜４のいずれかに「ＢＡＲ」が停止する図柄組合せとする構成等とすることで、特別再遊技役の入賞時と特別役のリーチ目の停止時とで、特定図柄が停止する位置を異ならせることができる。
【０１２４】
また、特別再遊技役の図柄組合せを本実施例の図柄組合せ（「リプレイａ‐ＢＡＲ‐ベル」、「リプレイｂ‐ＢＡＲ‐ベル」）とし、リーチ目の図柄組合せとして、図１０に示した図柄組合せのうちの一の図柄組合せを適用する構成であっても良い。
【０１２５】
また、本実施例では、特別再遊技役の図柄組合せ及びリーチ目の図柄組合せとして、特定図柄（本実施例では、「ＢＡＲ」）が入賞ラインＬＮ上に停止する構成であるが、特別再遊技役の入賞時、リーチ目の停止時に、特定図柄（本実施例では、「ＢＡＲ」）が無効ラインＬＭ１〜４のいずれかのライン上に停止する構成であっても良い。
【０１２６】
具体的には、例えば、図１３（ａ）に示すように、特別再遊技役の図柄組合せを、当該特別再遊技役が入賞ラインＬＮに停止した際に、左右リールの上段、中リールの下段すなわち無効ラインＬＭ１及び無効ラインＬＭ２に「ＢＡＲ」が停止する図柄組合せとする一方、図１３（ｂ）に示すように、特別役のリーチ目の図柄組合せを、当該リーチ目が入賞ラインＬＮに停止した際に、左右リールの下段、中リールの上段すなわち無効ラインＬＭ１及び無効ラインＬＭ２に「ＢＡＲ」が停止する図柄組合せとする構成であっても良い。また、特に図示しないが、特別再遊技役の図柄組合せを、左中右リールの上段すなわち無効ラインＬＭ１に「ＢＡＲ」が停止する図柄組合せとする一方、特別役のリーチ目の図柄組合せを、左中右リールの下段すなわち無効ラインＬＭ２に「ＢＡＲ」が停止する図柄組合せとする構成や、特別再遊技役の図柄組合せまたは特別役のリーチ目の図柄組合せのうちのいずれか一方の図柄組合せを、左中右リールの中段すなわち入賞ラインＬＮに「ＢＡＲ」が停止する図柄組合せとする一方で、他方の図柄組合せを上述の無効ラインＬＭ１または無効ラインＬＭ２のいずれかに「ＢＡＲ」が停止する図柄組合せとする構成等とすることで、特別再遊技役の入賞時、リーチ目の停止時に、特定図柄（本実施例では、「ＢＡＲ」）が無効ラインＬＭ１〜４のいずれかのライン上に停止させることができる。
【０１２７】
本実施例では、第１の抽選対象役が当選することで、停止することが許容されることなる特別再遊技役の図柄組合せは、「ベル‐ＢＡＲ‐リプレイａ」であり、第２の抽選対象役が当選することで、停止することが許容されることなるＢＢ１のリーチ目の図柄組合せは、「リプレイａ‐ＢＡＲ‐ベル」、「リプレイｂ‐ＢＡＲ‐ベル」であって、特別再遊技役の図柄組合せとＢＢ１のリーチ目の図柄組合せは、特定図柄と特定図柄以外の図柄から構成され、特定図柄以外の図柄が異なる図柄組合せであるので、特別再遊技役の図柄組合せとＢＢ１のリーチ目の図柄組合せとを特定図柄が停止される点で共通させつつ、２つの図柄組合せの違いを区別させることができる。
【０１２８】
本実施例では、内部抽選の抽選対象となる抽選対象役には、第１の抽選対象役である特別再遊技と、第２の抽選対象役である特別役（ＢＢ１）と、特別再遊技＋ＡＴとを含み、内部抽選にて特別再遊技＋ＡＴが当選したときには、ＡＴに関する抽選に当選したこととなり、特別役（ＢＢ１）が当選しているときには、特定図柄を含むＢＢ１のリーチ目の図柄組合せを停止させることが可能な構成であって、特別再遊技が当選した場合にも、特別再遊技＋ＡＴが当選した場合にも、報知演出が行われることで、特定図柄を含む特別再遊技役の図柄組合せをリールに停止させることが可能であり、特定図柄を含む特別再遊技役の図柄組合せが停止されることで、ＡＴに関する抽選に当選した可能性が示唆されるので、報知演出が行われることで特別役（ＢＢ１）が当選していることだけでなく、ＡＴに関する抽選に当選していること対する期待感を高めることができる。
【０１２９】
尚、本実施例では、内部抽選にて特別再遊技＋ＡＴが当選したときには、ＡＴに関する抽選に当選したこととなり、ＡＴに制御またはＡＴの残りゲーム数の上乗せが行われる構成であるが、特別再遊技がＡＴ以外の遊技者にとって有利な特典とともに当選し得る構成であっても良く、遊技者にとって有利な特典は、上述の第２の抽選対象役として、遊技者にとって有利な特典が付与され得る役を適用する構成における特典と同一の特典であっても良いし、異なる特典であっても良い。また、遊技者にとって有利な特典として、制御状態を移行させる図柄組合せ停止させる権利、すなわち遊技者にとって有利な有利状態へ移行させる権利を適用しても良い。
【０１３０】
また、本実施例では、内部抽選にて第１の抽選対象役が当選することで、停止することが許容されることなる特別再遊技役の図柄組合せは、「ベル‐ＢＡＲ‐リプレイａ」であり、第２の抽選対象役が当選することで、停止することが許容されることなるＢＢ１のリーチ目の図柄組合せは、「リプレイａ‐ＢＡＲ‐ベル」、「リプレイｂ‐ＢＡＲ‐ベル」であって、第１の抽選対象役が当選した場合にも、第２の抽選対象役が当選した場合にも、１つの特定図柄がリールに停止し得る構成であるが、第１の抽選対象役、第２の抽選対象役が当選した場合に、２つ以上の複数の特定図柄がリールに停止し得る構成であっても良い。このような構成において、第１の抽選対象役が当選し、特別再遊技役の図柄組合せが停止したときに、リールに停止した特定図柄の数に応じて特典が付与される可能性が異なる構成とすることで、リールに停止した特定図柄の数に応じて特典が付与される可能性の違いを示唆することができる。
【０１３１】
上述の内部抽選にて第１の抽選対象役、第２の抽選対象役が当選した場合に、２つ以上の複数の特定図柄がリールに停止し得る構成の例について、図１４〜図１６に基づいて説明する。
【０１３２】
例えば、図１４に示すように、第１の抽選対象役として、右第１特別再遊技１、右第１特別再遊技２、右第１特別再遊技３、右第１特別再遊技１＋ＡＴ、右第１特別再遊技２＋ＡＴ、右第１特別再遊技３＋ＡＴ、中第１特別再遊技１、中第１特別再遊技２、中第１特別再遊技３、中第１特別再遊技１＋ＡＴ、中第１特別再遊技２＋ＡＴ、中第１特別再遊技３＋ＡＴ、左第１特別再遊技１、左第１特別再遊技２、左第１特別再遊技３、左第１特別再遊技１＋ＡＴ、左第１特別再遊技２＋ＡＴ、左第１特別再遊技３＋ＡＴを含める。これらの抽選対象役をまとめて押し順特別再遊技と呼ぶ場合がある。
【０１３３】
これらの押し順特別再遊技には、所定の停止順で停止操作を行うことで、入賞ラインＬＮ上に所定数の特定図柄（実施例では、「ＢＡＲ」）を停止させることが可能であり、入賞することでリプレイゲームが付与される第１の入賞役、及び所定の停止順以外の停止順で停止操作を行うことで、入賞ラインＬＮ上に一の特定図柄（実施例では、「ＢＡＲ」）も停止させることができないが、入賞することでリプレイゲームが付与される第２の入賞役（例えば、上述の通常再遊技役等）を少なくとも含む。
【０１３４】
例えば、押し順特別再遊技のうち右第１特別再遊技１は、右第１停止の停止順で停止操作を行うことで、入賞ラインＬＮ上に１つ特定図柄を停止させることが可能な第１の入賞役、及び右第１停止の停止順以外の停止順で停止操作を行うことで、入賞ラインＬＮ上に一の特定図柄も停止させることができない第２の入賞役を少なくとも含み、右第１特別再遊技２は、右第１停止の停止順で停止操作を行うことで、入賞ラインＬＮ上に２つ特定図柄を停止させることが可能な第１の入賞役、及び右第１停止の停止順以外の停止順で停止操作を行うことで、入賞ラインＬＮ上に一の特定図柄も停止させることができない第２の入賞役を少なくとも含み、右第１特別再遊技３は、右第１停止の停止順で停止操作を行うことで、入賞ラインＬＮ上に３つすなわち全てのリールに特定図柄を停止させることが可能な第１の入賞役、及び右第１停止の停止順以外の停止順で停止操作を行うことで、入賞ラインＬＮ上に一の特定図柄も停止させることができない第２の入賞役を少なくとも含む。
【０１３５】
また、中第１特別再遊技１〜３、左第１特別再遊技１〜３についても、右第１特別再遊技１〜３と同様に、入賞ラインＬＮ上に所定数の特定図柄を停止させることが可能な第１の入賞役、及び所定の停止順以外の停止順で停止操作を行うことで、入賞ラインＬＮ上に一の特定図柄（実施例では、「ＢＡＲ」）も停止させることができない第２の入賞役を少なくとも含む。
【０１３６】
また、右第１特別再遊技１〜３＋ＡＴ、中第１特別再遊技１〜３＋ＡＴ、左第１特別再遊技１〜３＋ＡＴは、内部抽選にて当選することで、ＡＴに関するＡＴ抽選に当選したこととなる役であり、内部抽選にてこれらの押し順抽選対象役＋ＡＴが当選することで、停止順に関わらず、ＡＴまたはＡＴゲーム数の上乗せが付与されることとなる。
【０１３７】
また、図１５に示すように、内部抽選にて押し順特別再遊技、押し順特別再遊技＋ＡＴが当選する確率は、内部抽選における右第１特別再遊技３の当選確率をＡ３、右第１特別再遊技３＋ＡＴの当選確率をａ３、右第１特別再遊技２の当選確率をＡ２、右第１特別再遊技２＋ＡＴの当選確率をａ２、右第１特別再遊技１の当選確率をＡ１、右第１特別再遊技１＋ＡＴの当選確率をａ１、内部抽選における中第１特別再遊技３の当選確率をＢ３、中第１特別再遊技３＋ＡＴの当選確率をｂ３、中第１特別再遊技２の当選確率をＢ２、中第１特別再遊技２＋ＡＴの当選確率をｂ２、中第１特別再遊技１の当選確率をＢ１、中第１特別再遊技１＋ＡＴの当選確率をｂ１、内部抽選における左第１特別再遊技３の当選確率をＣ３、左第１特別再遊技３＋ＡＴの当選確率をｃ３、左第１特別再遊技２の当選確率をＣ２、左第１特別再遊技２＋ＡＴの当選確率をｃ２、左第１特別再遊技１の当選確率をＣ１、左第１特別再遊技１＋ＡＴの当選確率をｃ１として、少なくとも予め定められた第１〜３の関係（図１５（ｂ）〜（ｄ）の関係式を参照）を満たすように設定されている。
【０１３８】
図１５（ｂ）に示すように、第１の関係として、左第１停止とする停止順で停止操作を行うことで、入賞ラインＬＮ上に１つ以上の特定図柄を停止させることが可能な左第１特別再遊技の当選確率（左第１特別再遊技１〜３及び左第１特別再遊技１〜３＋ＡＴの当選確率の合計値）に占めるＡＴに関するＡＴ抽選にて当選となる当選確率（左第１特別再遊技１〜３＋ＡＴの当選確率の合計値）の比率（（ｃ１＋ｃ２＋ｃ３）／（Ｃ１＋Ｃ２＋Ｃ３＋ｃ１＋ｃ２＋ｃ３））に比較して、中第１停止とする停止順で停止操作を行うことで、入賞ラインＬＮ上に１つ以上の特定図柄を停止させることが可能な中第１特別再遊技の当選確率（中第１特別再遊技１〜３、中第１特別再遊技１〜３＋ＡＴの当選確率の合計値）に占めるＡＴに関するＡＴ抽選にて当選となる当選確率（中第１特別再遊技１〜３＋ＡＴの当選確率の合計値）の比率（（ｂ１＋ｂ２＋ｂ３）／（Ｂ１＋Ｂ２＋Ｂ３＋ｂ１＋ｂ２＋ｂ３））が、高い比率に設定されているとともに、当該中第１停止の場合におけるＡＴ抽選の当選確率の比率（（ｂ１＋ｂ２＋ｂ３）／（Ｂ１＋Ｂ２＋Ｂ３＋ｂ１＋ｂ２＋ｂ３））に比較して、右第１停止とする停止順で停止操作を行うことで、入賞ラインＬＮ上に１つ以上の特定図柄を停止させることが可能な中第１特別再遊技の当選確率（右第１特別再遊技１〜３及び右第１特別再遊技１〜３＋ＡＴの当選確率の合計値）に占めるＡＴに関するＡＴ抽選にて当選となる当選確率（右第１特別再遊技１〜３＋ＡＴの当選確率の合計値）の比率（（ａ１＋ａ２＋ａ３）／（Ａ１＋Ａ２＋Ａ３＋ａ１＋ａ２＋ａ３））が、さらに高い比率に設定されている。
【０１３９】
これにより、中第１停止の停止順で停止操作を行ったときに特定図柄が停止した場合には、左第１停止の停止順で停止操作を行ったときに特定図柄が停止した場合よりも、ＡＴ抽選に当選している可能性が高い旨が示唆され、右第１停止の停止順で停止操作を行ったときに特定図柄が停止した場合には、中第１停止の停止順で停止操作を行ったときに特定図柄が停止した場合よりも、ＡＴ抽選に当選している可能性が高い旨が示唆されるようになっている。
【０１４０】
また、図１５（ｃ）に示すように、第２の関係として、左第１停止とする停止順で停止操作を行うことで、入賞ラインＬＮ上に停止させることが可能な特定図柄の数の期待値（Ｃ）に比較して、中第１停止とする停止順で停止操作を行うことで、入賞ラインＬＮ上に停止させることが可能な特定図柄の数の期待値（Ｂ）が、高い期待値に設定されているとともに、当該中第１停止の場合の特定図柄の数の期待値（Ｂ）に比較して、右第１停止とする停止順で停止操作を行うことで、入賞ラインＬＮ上に停止させることが可能な特定図柄の数の期待値（Ａ）が、さらに高い期待値に設定されている。
【０１４１】
具体的には、右第１停止とする停止順で停止操作を行うことで、入賞ラインＬＮ上に１つの特定図柄が停止する期待値（（Ａ１＋ａ１）／（Ａ１＋Ａ２＋Ａ３＋ａ１＋ａ２＋ａ３）×１）と、入賞ラインＬＮ上に２つの特定図柄が停止する期待値（（Ａ２＋ａ２）／（Ａ１＋Ａ２＋Ａ３＋ａ１＋ａ２＋ａ３）×２）と、入賞ラインＬＮ上に３つの特定図柄が停止する期待値（（Ａ３＋ａ３）／（Ａ１＋Ａ２＋Ａ３＋ａ１＋ａ２＋ａ３）×３）の合計値をＡとし、中第１停止とする停止順で停止操作を行うことで、入賞ラインＬＮ上に１つの特定図柄が停止する期待値（（Ｂ１＋ｂ１）／（Ｂ１＋Ｂ２＋Ｂ３＋ｂ１＋ｂ２＋ｂ３）×１）と、入賞ラインＬＮ上に２つの特定図柄が停止する期待値（（Ｂ２＋ｂ２）／（Ｂ１＋Ｂ２＋Ｂ３＋ｂ１＋ｂ２＋ｂ３）×２）と、入賞ラインＬＮ上に３つの特定図柄が停止する期待値は、（（Ｂ３＋ｂ３）／（Ｂ１＋Ｂ２＋Ｂ３＋ｂ１＋ｂ２＋ｂ３）×３）の合計値をＢとし、左第１停止とする停止順で停止操作を行うことで、入賞ラインＬＮ上に１つの特定図柄が停止する期待値（（Ｃ１＋ｃ１）／（Ｃ１＋Ｃ２＋Ｃ３＋ｃ１＋ｃ２＋ｃ３）×１）と、入賞ラインＬＮ上に２つの特定図柄が停止する期待値（（Ｃ２＋ｃ２）／（Ｃ１＋Ｃ２＋Ｃ３＋ｃ１＋ｃ２＋ｃ３）×２）と、入賞ラインＬＮ上に３つの特定図柄が停止する期待値は、（（Ｃ３＋ｃ３）／（Ｃ１＋Ｃ２＋Ｃ３＋ｃ１＋ｃ２＋ｃ３）×３）の合計値をＣとし、Ｃに比較してＢが高い期待値となり、Ｂに比較してＡがさらに高い期待値となるように各押し順特別再遊技役の当選確率が設定される。
【０１４２】
これにより、左第１停止の停止順で停止操作を行う場合よりも中第１停止の停止順で停止操作を行う場合に、多くの特定図柄数がリールに停止する可能性が高くなるとともに、中第１停止の停止順で停止操作を行う場合よりも右第１停止の停止順で停止操作を行う場合に、さらに多い特定図柄数がリールに停止する可能が高くなるようになっている。
【０１４３】
また、図１５（ｄ）に示すように、右第１停止とする停止順で停止操作を行うことで、入賞ラインＬＮ上に１つの特定図柄を停止させることが可能な右第１特別再遊技の当選確率（右第１特別再遊技１、右第１特別再遊技１＋ＡＴの当選確率の合計値）に占めるＡＴに関するＡＴ抽選にて当選となる当選確率（右第１特別再遊技１＋ＡＴの当選確率）の比率（ａ１／（Ａ１＋ａ１））に比較して、右第１停止とする停止順で停止操作を行うことで、入賞ラインＬＮ上に２つの特定図柄を停止させることが可能な右第１特別再遊技の当選確率（右第１特別再遊技２、右第１特別再遊技２＋ＡＴの当選確率の合計値）に占めるＡＴに関するＡＴ抽選にて当選となる当選確率（右第１特別再遊技２＋ＡＴの当選確率）の比率（ａ２／（Ａ２＋ａ２））が、高い比率に設定されているとともに、当該２つの特定図柄を停止させることが可能な右第１特別再遊技に占めるＡＴ抽選の当選確率の比率（ａ２／（Ａ２＋ａ２））に比較して、右第１停止とする停止順で停止操作を行うことで、入賞ラインＬＮ上に３つの特定図柄を停止させることが可能な右第１特別再遊技の当選確率（右第１特別再遊技３、右第１特別再遊技３＋ＡＴの当選確率の合計値）に占めるＡＴに関するＡＴ抽選にて当選となる当選確率（右第１特別再遊技３＋ＡＴの当選確率）の比率（ａ３／（Ａ３＋ａ３））が、さらに高い比率に設定されている。
【０１４４】
また、中第１停止とする停止順で停止操作を行うことで、入賞ラインＬＮ上に所定数の特定図柄を停止させることが可能な中第１特別再遊技の当選確率に占めるＡＴに関するＡＴ抽選にて当選となる当選確率の比率についても、また、左第１停止とする停止順で停止操作を行うことで、入賞ラインＬＮ上に所定数の特定図柄を停止させることが可能な左第１特別再遊技の当選確率に占めるＡＴに関するＡＴ抽選にて当選となる当選確率の比率についても、右中第１特別再遊技の場合と同様に、入賞ラインＬＮ上に特定図柄が停止し得る数が多いほど、ＡＴに関するＡＴ抽選にて当選となる比率が高くなるように設定されている。
【０１４５】
これにより、右中左第１停止のいずれの停止順で停止操作を行う場合であっても、リールに停止する特定図柄の数が多いほど、ＡＴに関するＡＴ抽選にて当選となる比率が高くなるようになっている。
【０１４６】
このように、メイン制御部４１側での内部抽選の抽選対象役として、上述のような押し順特別再遊技が含まれる構成において、サブ制御部９１は、内部当選コマンドに基づいて押し順特別再遊技または押し順特別再遊技＋ＡＴのいずれかが当選していることが特定されるときに、第１の演出実行条件が成立したとして報知演出を行うことが可能である。そして、サブ制御部９１は、第１の演出実行条件が成立したときに、当選している押し順特別再遊技、押し順特別再遊技＋ＡＴの種類に応じて報知演出において報知する押し順を決定する報知押し順抽選を行い、当該報知押し順抽選にて当選した押し順を示唆する押し順画像を用いて報知演出を行う。
【０１４７】
報知押し順抽選では、当選している押し順特別再遊技、押し順特別再遊技＋ＡＴの種類に応じて第２停止操作以降の停止順の報知内容が決定されるようになっている。具体的には、例えば、図１６（ａ）に示すように、右第１特別再遊技１〜３の当選時に、押し順ナビにより報知する停止順として第１の押し順（右左中の押し順）を選択する確率α１、報知する停止順として第２の押し順（右中左の押し順）を選択する確率α２が設定されており、右第１特別再遊技１〜３＋ＡＴの当選時に押し順ナビにより報知する停止順として第１の押し順（右左中の押し順）を選択する確率β１、報知する停止順として第２の押し順（右中左の押し順）を選択する確率β２が設定されている。そして、図１６（ｂ）に示すように、右第１特別再遊技１〜３が当選したときに行う報知演出において第１の押し順（右左中）が選択される比率（α１／（α１＋α２））が、右第１特別再遊技１〜３＋ＡＴが当選したときに行う報知演出において第１の押し順（右左中）が選択される比率（β１／（β１＋β２））に比較して高い比率に設定されている。また、右第１特別再遊技１〜３＋ＡＴが当選したときに行う報知演出において第２の押し順（右中左）が選択される比率（β２／（β１＋β２））が、右第１特別再遊技１〜３が当選したときに行う報知演出において第２の押し順（右中左）が選択される比率に比較して高い比率に設定されている。
【０１４８】
これにより、報知演出において第１の押し順が報知される場合には、第２の押し順が報知される場合に比較して高い確率で右第１特別再遊技１〜３が当選している可能性が示唆され、報知演出において第２の押し順が報知される場合には、第１の押し順が報知される場合に比較して高い確率で右第１特別再遊技１〜３＋ＡＴが当選している可能性が示唆されるようになっている。
【０１４９】
また、特に図示しないが、中第１特別再遊技１〜３、中第１特別再遊技１〜３＋ＡＴの当選時に報知演出において報知される押し順、及び左第１特別再遊技１〜３、左第１特別再遊技１〜３＋ＡＴの当選時に報知演出において報知される押し順についても、ＡＴに関するＡＴ抽選にて当選している場合に、所定の一方の押し順が報知される比率が高くなっており、所定の一方の押し順が報知される場合には、他方の押し順が報知される場合に比較して高い確率で押し順特別再遊技＋ＡＴが当選している可能性が示唆されるようになっている。
【０１５０】
以上のように、メイン制御部４１側での内部抽選の抽選対象役として、上述のような押し順特別再遊技が含まれ、押し順特別再遊技の当選時に報知演出が行われる構成では、図１７（ａ）に示すように、押し順特別再遊技、押し順特別再遊技＋ＡＴの当選時に、いずれかの押し順を報知する報知演出が行われることとなる。そして、図１７（ｂ）に示すように、押し順特別再遊技１、押し順特別再遊技１＋ＡＴの当選時には、当選している押し順再遊技の種類に対応する第１停止のリールにおいて、特定図柄を停止させることが可能な停止タイミングで停止操作を行うことで、１つの特定図柄がリールに停止する。また、図１７（ｃ）に示すように、押し順特別再遊技２、押し順特別再遊技２＋ＡＴの当選時には、当選している押し順再遊技の種類に対応する第１停止及び第２停止のリールにおいて、特定図柄を停止させることが可能な停止タイミングで停止操作を行うことで、２つの特定図柄がリールに停止する。また、図１７（ｄ）に示すように、押し順特別再遊技３、押し順特別再遊技３＋ＡＴの当選時には、全てのリールにおいて、特定図柄を停止させることが可能な停止タイミングで停止操作を行うことで、３つの特定図柄がリールに停止することとなる。
【０１５１】
これにより、報知演出において報知される第１停止から第３停止までの押し順、及び全てのリールが停止したときに、停止している特定図柄の数に応じて、押し順特別再遊技＋ＡＴが当選している可能性が示唆される。すなわち、報知演出では、報知される押し順が右第１停止であるときに、ＡＴに関するＡＴ抽選に当選していることとなる可能性が最も高い旨が示唆され、左第１停止、中第１停止、右第１停止の順でＡＴ抽選に当選していることとなる可能性が高い旨が示唆されるとともに、より多い数の特定図柄が停止る可能性が示唆される。また、リールにおいては、停止した特定図柄の数が多いほど、ＡＴ抽選に当選している可能性が高い旨が示唆されるようになっている。
【０１５２】
このように、内部抽選にて抽選となる第１の抽選対象役が、右第１特別再遊技１〜３等の複数種類の押し順特別再遊技からなり、第１の抽選対象役の種類に応じてリールに停止させることが可能な特定図柄の数が異なる構成とすることで、内部抽選の抽選結果の違いに応じて、リールに停止する特定図柄の数を変化させることができる。
【０１５３】
尚、本例では、押し順特別再遊技１〜３＋ＡＴが当選することで、ＡＴに関するＡＴ抽選に当選したこととなる構成であるが、押し順特別再遊技１〜３＋ＡＴが当選したときに、ＡＴ、ＡＴの残りゲーム数の上乗せを付与するか否かを決定する第２の抽選を行い、当該第２の抽選にて当選することで、ＡＴに関するＡＴ抽選に当選したこととなる構成であっても良い。
【０１５４】
また、上述の変形例では、リールに停止した特定図柄の数に応じて特典としてＡＴに関するＡＴ抽選に当選している可能性の違いを示唆する構成であるが、全てのリールが停止さたときに、停止した特定図柄の数に応じて特典の有利度が異なる構成であっても良い。
【０１５５】
このような構成として、例えば、上述の押し順特別再遊技＋ＡＴとして、ＡＴに制御されるゲーム数、上乗せされるＡＴの残りゲーム数が異なる複数種類を含み、ＡＴに制御されるゲーム数、上乗せされるＡＴの残りゲーム数が多い押し順特別再遊技＋ＡＴほど、特定図柄が停止し得る数が多い押し順特別再遊技とともに当選する構成とすることで、リールにおいては、停止した特定図柄の数が多いほど、より有利度の高いＡＴが当選している可能性が高い旨を示唆すること、すなわちリールに停止する特定図柄の数に応じて付与される特典の有利度の違いを示唆することができる。
【０１５６】
尚、このような構成において、押し順特別再遊技１〜３＋ＡＴが当選したときに、ＡＴ、ＡＴの残りゲーム数の上乗せを付与するか否かを決定する第２の抽選を行い、当該第２の抽選にて当選することで、ＡＴに関するＡＴ抽選に当選したこととなる構成であって、特定図柄が停止し得る数が多い押し順特別再遊技とともに当選している場合ほど、第２の抽選にて、より有利度の高いＡＴが当選する比率が高い構成、すなわちＡＴに制御されるゲーム数、上乗せされるＡＴの残りゲーム数がより多く付与され得る構成であっても良く、このような構成であっても、リールに停止する特定図柄の数に応じて付与される特典の有利度の違いを示唆することができる。
【０１５７】
また、上述の変形例では、リールに停止した特定図柄の数に応じて特典としてＡＴに関するＡＴ抽選に当選している可能性の違いを示唆する構成であって、内部抽選にて抽選となる第１の抽選対象役が、右第１特別再遊技１〜３等の複数種類の押し順特別再遊技からなり、第１の抽選対象役の種類に応じてリールに停止させることが可能な特定図柄の数が異なる構成であるが、内部抽選にて第１の抽選対象役が当選したときに、ストップスイッチ８Ｌ、８Ｃ、８Ｒの操作態様に応じてリールに停止させることが可能な特定図柄の数が異なることとなる構成であっても良い。
【０１５８】
このような構成として、例えば、図１８に示すように、第１の抽選対象役として、押し順に応じてリールに停止させることが可能な特定図柄の数が異なる特別再遊技Ａ、Ｂ、Ｃを含み、内部抽選にて、特別再遊技ＡとともにＡＴが当選する確率に比較して、特別再遊技ＢとともにＡＴが当選する確率を高い確率に設定するとともに、特別再遊技ＢとともにＡＴが当選する確率に比較して、特別再遊技ＣとともにＡＴが当選する確率を高い確率に設定する。また、報知演出として、ＡＴが当選している場合には、１つの特定図柄を停止させることが可能な押し順を報知する比率に比較して、２つの特定図柄を停止させることが可能な押し順を報知する比率を高い比率に設定するとともに、２つの特定図柄を停止させることが可能な押し順を報知する比率に比較して、３つの特定図柄を停止させることが可能な押し順を報知する比率をさらに高い比率に設定する構成とすることで、ストップスイッチ８Ｌ、８Ｃ、８Ｒの操作態様に応じてリールに停止させることが可能な特定図柄の数を変化させることができる。
【０１５９】
本実施例のメイン制御部４１は、ゲームの開始時に、内部抽選の当選結果を特定可能な内部当選コマンドを送信し、ゲームの開始に伴いリールを所定の定速回転まで加速させたときに、全てのリールについて停止操作の受け付けを有効化して、加速完了コマンドを送信する構成であり、サブ制御部９１は、内部当選コマンドに基づいて第１の演出実行条件が成立したことが特定される場合に、加速完了コマンドを受信するまでに、すなわち全てのリールについて停止操作の受け付けを有効化される前に、特定報知演出を開始するので、報知演出によりリールに特定図柄を停止させる旨を確実に促すことができる。
【０１６０】
本実施例のサブ制御部９１は、内部当選コマンドに基づいて、第１の演出実行条件が成立したこと判定される場合には、内部抽選にて第１の抽選対象役（特別再遊技、特別再遊技＋ＡＴ）が当選して、特別再遊技役の図柄組合せが停止したときも、第２の抽選対象役（特別役であるＢＢ１）が当選して、特別役のリーチ目の図柄組合せが停止したときにも、共通の点灯態様Ａ、報知音Ａを用いて共通の演出を実行する、すなわち第１の演出実行条件が成立したこと判定される場合に、リールに特定図柄が停止したときに共通の演出を実行するので、報知演出とリールに特定図柄が停止されることとの関連性を強調することができる。
【０１６１】
以上、本発明の実施例及び変形例を図面により説明してきたが、本発明はこの実施例に限定されるものではなく、本発明の主旨を逸脱しない範囲における変更や追加があっても本発明に含まれることは言うまでもない。
【０１６２】
前記実施例及び変形例では、本発明を遊技用価値としてメダル並びにクレジットを用いて賭数が設定されるスロットマシンに適用した例について説明したが、遊技用価値として遊技球を用いて賭数を設定するスロットマシンや、遊技用価値としてクレジットのみを使用して賭数を設定する完全クレジット式のスロットマシンに適用しても良い。遊技球を遊技用価値として用いる場合は、例えば、メダル１枚分を遊技球５個分に対応させることができ、前記実施例で賭数として３を設定する場合は、１５個の遊技球を用いて賭数を設定するものに相当する。
【０１６３】
さらに、メダル及び遊技球等の複数種類の遊技用価値のうちいずれか１種類のみを用いるものに限定されるものではなく、例えば、メダル及び遊技球等の複数種類の遊技用価値を併用できるものであっても良い。すなわち、メダル及び遊技球等の複数種類の遊技用価値のいずれを用いても賭数を設定してゲームを行うことが可能であり、かつ入賞の発生によってメダル及び遊技球等の複数種類の遊技用価値のいずれをも払い出し得るスロットマシンを適用しても良い。
【符号の説明】
【０１６４】
１  スロットマシン
２Ｌ、２Ｃ、２Ｒ  リール
６  ＭＡＸＢＥＴスイッチ
７  スタートスイッチ
８Ｌ、８Ｃ、８Ｒ  ストップスイッチ
４１  メイン制御部
９１  サブ制御部
【図１】
0006735597.tif 000002
【図２】
0006735597.tif 000003
【図３】
0006735597.tif 000004
【図４】
0006735597.tif 000005
【図５】
0006735597.tif 000006
【図６】
0006735597.tif 000007
【図７】
0006735597.tif 000008
【図８】
0006735597.tif 000009
【図９】
0006735597.tif 000010
【図１０】
0006735597.tif 000011
【図１１】
0006735597.tif 000012
【図１２】
0006735597.tif 000013
【図１３】
0006735597.tif 000014
【図１４】
0006735597.tif 000015
【図１５】
0006735597.tif 000016
【図１６】
0006735597.tif 000017
【図１７】
0006735597.tif 000018
【図１８】
0006735597.tif 000019